(57)【要約】【課題】第５世代のセルラーシステムでは、高速・大容量伝送を実現するｅＭＢＢ（enhanced Mobile BroadBand）、低遅延・高信頼通信を実現するＵＲＬＬＣ（Ultra-Reliable and Low Latency Communication）、ＩｏＴ（Internet of Things）などマシン型デバイスが多数接続するｍＭＴＣ（massive Machine Type Communication）の３つがサービスの想定シナリオとして要求されている。端末装置と基地局装置が効率的に通信を行うこと。【解決手段】端末装置が、基地局装置からランダムアクセス手順の開始を指示する指示情報を含む信号を受信し、前記指示情報に基づいて、前記１つまたは複数のランダムアクセスプリアンブルを送信し、前記指示情報に含まれる前記ＳＲＳリソースに関する情報に基づいて前記ランダムアクセスプリアンブルの送信に用いるアンテナポートを決定する。【選択図】図１０
2019004315.tif 000002
【特許請求の範囲】
【請求項１】
端末装置であって、
基地局装置からランダムアクセス手順の開始を指示する指示情報を含む信号を受信する受信部と、
前記指示情報に基づいて、前記１つまたは複数のランダムアクセスプリアンブルを送信する送信部と、を備え、
前記送信部は、前記指示情報に含まれるＳＲＳリソースに関する情報に基づいて前記ランダムアクセスプリアンブルの送信に用いるアンテナポートを決定する端末装置。
【請求項２】
基地局装置であって、
ＳＲＳリソースに関する情報を含むランダムアクセス手順の開始を指示する指示情報を生成する制御部と、
端末装置に対して前記指示情報を含む信号を送信する送信部と、
前記ＳＲＳリソースに関する情報に基づくランダムアクセスプリアンブルをモニタする受信部と、を備える基地局装置。
【請求項３】
端末装置に用いられる通信方法であって、
基地局装置からランダムアクセス手順の開始を指示する指示情報を含む信号を受信し、
前記指示情報に基づいて、前記１つまたは複数のランダムアクセスプリアンブルを送信し、
前記指示情報に含まれるＳＲＳリソースに関する情報に基づいて前記ランダムアクセスプリアンブルの送信に用いるアンテナポートを決定する通信方法。
【請求項４】
基地局装置に用いられる通信方法であって、
ＳＲＳリソースに関する情報を含むランダムアクセス手順の開始を指示する指示情報を生成し、
端末装置に対して前記指示情報を含む信号を送信し、
前記ＳＲＳリソースに関する情報に基づくランダムアクセスプリアンブルをモニタする通信方法。
【請求項５】
端末装置に実装される集積回路であって、
基地局装置からランダムアクセス手順の開始を指示する指示情報を含む信号を受信する機能と、
前記指示情報に基づいて、前記１つまたは複数のランダムアクセスプリアンブルを送信する機能と、
前記指示情報に含まれるＳＲＳリソースに関する情報に基づいて前記ランダムアクセスプリアンブルの送信に用いるアンテナポートを決定する機能と、を前記端末装置に発揮させる集積回路。
【請求項６】
基地局装置に実装される集積回路であって、
ＳＲＳリソースに関する情報を含むランダムアクセス手順の開始を指示する指示情報を生成する機能と、
端末装置に対して前記指示情報を含む信号を送信する機能と、
前記ＳＲＳリソースに関する情報に基づくランダムアクセスプリアンブルをモニタする機能と、を前記基地局装置に発揮させる集積回路。
【発明の詳細な説明】
【技術分野】
【０００１】
本発明は、端末装置、基地局装置、通信方法、および、集積回路に関する。
【背景技術】
【０００２】
現在、第５世代のセルラーシステムに向けた無線アクセス方式および無線ネットワーク技術として、第三世代パートナーシッププロジェクト（3GPP: The Third Generation Partnership Project）において、ＬＴＥ（Long Term Evolution）−Ａｄｖａｎｃｅｄ  Ｐ
ｒｏ及びＮＲ（New Radio technology）の技術検討及び規格策定が行われている（非特許文献１）。
【０００３】
第５世代のセルラーシステムでは、高速・大容量伝送を実現するｅＭＢＢ（enhanced Mobile BroadBand）、低遅延・高信頼通信を実現するＵＲＬＬＣ（Ultra-Reliable and Low Latency Communication）、ＩｏＴ（Internet of Things）などマシン型デバイスが多
数接続するｍＭＴＣ（massive Machine Type Communication）の３つがサービスの想定シナリオとして要求されている。
【０００４】
ＮＲでは、高い周波数で多数のアンテナエレメントを用いてビームフォーミングゲインによりカバレッジを確保するマッシブＭＩＭＯ（Multiple-Input Multiple-Output）の技術検討が行われている（非特許文献２、非特許文献３、非特許文献４）。
【先行技術文献】
【非特許文献】
【０００５】
【非特許文献１】ＲＰ−１６１２１４  ＮＴＴ  ＤＯＣＯＭＯ，“Ｒｅｖｉｓｉｏｎ  ｏｆ  ＳＩ：Ｓｔｕｄｙ  ｏｎ  Ｎｅｗ  Ｒａｄｉｏ  Ａｃｃｅｓｓ  Ｔｅｃｈｎｏｌｏｇｙ”，２０１６年６月
【非特許文献２】Ｒ１−１６２８８３  Ｎｏｋｉａ，Ａｌｃａｔｅｌ−Ｌｕｃｅｎｔ  ＳｈａｎｇｈａｉＢｅｌｌ，“Ｂａｓｉｃ  Ｐｒｉｎｃｉｐｌｅｓ  ｆｏｒ  ｔｈｅ  ５Ｇ  Ｎｅｗ  Ｒａｄｉｏ  Ａｃｃｅｓｓ  ｔｅｃｈｎｏｌｏｇｙ”，２０１６年４月
【非特許文献３】Ｒ１−１６２３８０，Ｉｎｔｅｌ  Ｃｏｒｐｏｒａｔｉｏｎ，“Ｏｖｅｒｖｉｅｗ  ｏｆｏｆ  ａｎｔｅｎｎａ  ｔｅｃｈｎｏｌｏｇｙ  ｆｏｒ  ｎｅｗ  ｒａｄｉｏ  ｉｎｔｅｒｆａｃｅ”，２０１６年，４月
【非特許文献４】Ｒ１−１６３２１５，Ｅｒｉｃｓｓｏｎ，“Ｏｖｅｒｖｉｅｗ  ｏｆ  ＮＲ”，２０１６年，４月
【発明の概要】
【発明が解決しようとする課題】
【０００６】
本発明は効率的に基地局装置と通信することができる端末装置、該端末装置と通信する基地局装置、該端末装置に用いられる通信方法、該基地局装置に用いられる通信方法を提供する。例えば、該端末装置、および、該基地局装置に用いられる通信方法は、効率的な通信、複雑性の低減、セル間、および／または、端末装置間の干渉を低減するための、上りリンク送信方法、変調方法、および／または、符号化方法を含んでもよい。
【課題を解決するための手段】
【０００７】
（１）本発明の態様は、以下のような手段を講じた。すなわち、本発明の第１の態様は、端末装置であって、基地局装置からランダムアクセス手順の開始を指示する指示情報を含む信号を受信する受信部と、前記指示情報に基づいて、前記１つまたは複数のランダムアクセスプリアンブルを送信する送信部と、を備え、前記送信部は、前記指示情報に含ま
れるＳＲＳリソースに関する情報に基づいて前記ランダムアクセスプリアンブルの送信に用いるアンテナポートを決定する。
【０００８】
（２）本発明の第２の態様は、基地局装置であって、ＳＲＳリソースに関する情報を含むランダムアクセス手順の開始を指示する指示情報を生成する制御部と、端末装置に対して前記指示情報を含む信号を送信する送信部と、前記ＳＲＳリソースに関する情報に基づくランダムアクセスプリアンブルをモニタする受信部と、を備える。
【０００９】
（３）本発明の第３の態様は、端末装置に用いられる通信方法であって、地局装置からランダムアクセス手順の開始を指示する指示情報を含む信号を受信し、前記指示情報に基づいて、前記１つまたは複数のランダムアクセスプリアンブルを送信し、前記指示情報に含まれるＳＲＳリソースに関する情報に基づいて前記ランダムアクセスプリアンブルの送信に用いるアンテナポートを決定する。
【００１０】
（４）本発明の第４の態様は、基地局装置に用いられる通信方法であって、ＳＲＳリソースに関する情報を含むランダムアクセス手順の開始を指示する指示情報を生成し、端末装置に対して前記指示情報を含む信号を送信し、前記ＳＲＳリソースに関する情報に基づくランダムアクセスプリアンブルをモニタする。
【００１１】
（５）本発明の第５の態様は、端末装置に実装される集積回路であって、基地局装置からランダムアクセス手順の開始を指示する指示情報を含む信号を受信する機能と、前記指示情報に基づいて、前記１つまたは複数のランダムアクセスプリアンブルを送信する機能と、前記指示情報に含まれるＳＲＳリソースに関する情報に基づいて前記ランダムアクセスプリアンブルの送信に用いるアンテナポートを決定する機能と、を前記端末装置に発揮させる。
【００１２】
（６）本発明の第６の態様は、基地局装置に実装される集積回路であって、ＳＲＳリソースに関する情報を含むランダムアクセス手順の開始を指示する指示情報を生成する機能と、端末装置に対して前記指示情報を含む信号を送信する機能と、前記ＳＲＳリソースに関する情報に基づくランダムアクセスプリアンブルをモニタする機能と、を前記基地局装置に発揮させる。
【発明の効果】
【００１３】
この発明によれば、端末装置および基地局装置は互いに効率的に通信および／または複雑性の低減をすることができる。
【図面の簡単な説明】
【００１４】
【図１】本発明の実施形態に係る無線通信システムの概念図である。
【図２】本発明の実施形態に係る下りリンクスロットの概略構成の一例を示す図である。
【図３】本発明の実施形態に係るサブフレーム、スロット、ミニスロットの時間領域における関係を示す図である。
【図４】本発明の実施形態に係るスロットまたはサブフレームの一例を示す図である。
【図５】本発明の実施形態に係るビームフォーミングの一例を示す図である。
【図６】本発明の実施形態に係る１つまたは複数のセルにおいて送信ビームの適用された複数の参照信号が送信される概念を示す図である。
【図７】本発明の実施形態に係る本実施形態に係る同期信号ブロックおよび同期信号バーストセットの例を示す図である。
【図８】本発明の実施形態に係るランアムアクセス設定情報の構成の例を示す図である。
【図９】本発明の実施形態に係るランダムアクセス手順における端末装置１と基地局装置３との間の複数のメッセージの送受信の概念図である。
【図１０】本発明の実施形態に係る端末装置１におけるランダムアクセスプリアンブルの送信処理の一例を示すフロー図である。
【図１１】本発明の実施形態に係る基地局装置３におけるランダムアクセスプリアンブルの受信処理の一例を示すフロー図である。
【図１２】本発明の実施形態に係る端末局装置１におけるランダムアクセスプリアンブルの送信処理の別の一例を示すフロー図である。
【図１３】本発明の実施形態に係る基地局装置３におけるランダムアクセスプリアンブルの受信処理の別の一例を示すフロー図である。
【図１４】本発明の実施形態に係る端末装置１の構成を示す概略ブロック図である。
【図１５】本発明の実施形態に係る基地局装置３の構成を示す概略ブロック図である。
【発明を実施するための形態】
【００１５】
以下、本発明の実施形態について説明する。
【００１６】
ＬＴＥ（およびＬＴＥ−Ａｄｖａｎｃｅｄ  Ｐｒｏ）とＮＲは、異なるＲＡＴ（Radio Access Technology）として定義されてもよい。ＮＲは、ＬＴＥに含まれる技術として定
義されてもよい。本実施形態はＮＲ、ＬＴＥおよび他のＲＡＴに適用されてよい。以下の説明では、ＬＴＥに関連する用語を用いて説明するが、他の用語を用いる他の技術においても適用されてもよい。
【００１７】
図１は、本発明の実施形態に係る無線通信システムの概念図である。図１において、無線通信システムは、端末装置１Ａ、端末装置１Ｂ、基地局装置３を具備する。端末装置１Ａ、および、端末装置１Ｂを、端末装置１とも称する。
【００１８】
端末装置１は、移動局装置、ユーザ端末（UE: User Equipment）、通信端末、移動機、端末、ＭＳ（Mobile Station）などと称される場合もある。基地局装置３は、無線基地局装置、基地局、無線基地局、固定局、ＮＢ（Node B）、ｅＮＢ（evolved Node B）、ＮＲ
ＮＢ（NR Node B）、ｇＮＢ（next generation Node B）、アクセスポイント、ＢＴＳ
（Base Transceiver Station）、ＢＳ（Base Station）などと称される場合もある。基地局装置３は、コアネットワーク装置を含んでもよい。また、基地局装置３は、１つまたは複数の送受信点４（ｔｒａｎｓｍｉｓｓｉｏｎ  ｒｅｃｅｐｔｉｏｎ  ｐｏｉｎｔ：ＴＲＰ）を具備してもよい。以下で説明する基地局装置３の機能／処理の少なくとも一部は、該基地局装置３が具備する各々の送受信点４における機能／処理であってもよい。基地局装置３は、基地局装置３によって制御される通信可能範囲（通信エリア）を１つまたは複数のセルとして端末装置１をサーブしてもよい。また、基地局装置３は、１つまたは複数の送受信点４によって制御される通信可能範囲（通信エリア）を１つまたは複数のセルとして端末装置１をサーブしてもよい。また、１つのセルを複数の部分領域（Ｂｅａｍｅｄ
ａｒｅａ）にわけ、それぞれの部分領域において端末装置１をサーブしてもよい。ここで、部分領域は、ビームフォーミングで使用されるビームのインデックスあるいはプリコーディングのインデックスに基づいて識別されてもよい。
【００１９】
基地局装置３がカバーする通信エリアは周波数毎にそれぞれ異なる広さ、異なる形状であっても良い。また、カバーするエリアが周波数毎に異なっていてもよい。また、基地局装置３の種別やセル半径の大きさが異なるセルが、同一の周波数または異なる周波数に混在して１つの通信システムを形成している無線ネットワークのことを、ヘテロジニアスネットワークと称する。
【００２０】
基地局装置３から端末装置１への無線通信リンクを下りリンクと称する。端末装置１から基地局装置３への無線通信リンクを上りリンクと称する。端末装置１から他の端末装置１への無線通信リンクをサイドリンクと称する。
【００２１】
図１において、端末装置１と基地局装置３の間の無線通信および／または端末装置１と他の端末装置１の間の無線通信では、サイクリックプレフィックス（CP: Cyclic Prefix
）を含む直交周波数分割多重（OFDM: Orthogonal Frequency Division Multiplexing）、シングルキャリア周波数多重（SC-FDM: Single-Carrier Frequency Division Multiplexing）、離散フーリエ変換拡散ＯＦＤＭ（DFT-S-OFDM: Discrete Fourier Transform Spread OFDM）、マルチキャリア符号分割多重（MC-CDM: Multi-Carrier Code Division Multiplexing）が用いられてもよい。
【００２２】
また、図１において、端末装置１と基地局装置３の間の無線通信および／または端末装置１と他の端末装置１の間の無線通信では、ユニバーサルフィルタマルチキャリア（UFMC: Universal-Filtered Multi-Carrier）、フィルタＯＦＤＭ（F-OFDM: Filtered OFDM）
、窓が乗算されたＯＦＤＭ（Windowed OFDM）、フィルタバンクマルチキャリア（FBMC: Filter-Bank Multi-Carrier）が用いられてもよい。
【００２３】
なお、本実施形態ではＯＦＤＭを伝送方式としてＯＦＤＭシンボルで説明するが、上述の他の伝送方式の場合を用いた場合も本発明に含まれる。例えば、本実施形態におけるＯＦＤＭシンボルはＳＣ−ＦＤＭシンボル（ＳＣ−ＦＤＭＡ（Single-Carrier Frequency Division Multiple Access）シンボルと称される場合もある）であってもよい。
【００２４】
また、図１において、端末装置１と基地局装置３の間の無線通信および／または端末装置１と他の端末装置１の間の無線通信では、ＣＰを用いない、あるいはＣＰの代わりにゼロパディングをした上述の伝送方式が用いられてもよい。また、ＣＰやゼロパディングは前方と後方の両方に付加されてもよい。
【００２５】
本実施形態では、端末装置１に対して１つまたは複数のサービングセルが設定される。設定された複数のサービングセルは、１つのプライマリーセル（Primary Cell、PCellと
も称される）と１つまたは複数のセカンダリーセル（Secondary Cell、SCellとも称され
る）とを含む。プライマリーセルは、初期コネクション確立（initial connection establishment）プロシージャが行なわれたサービングセル、コネクション再確立（connection
re-establishment）プロシージャを開始したサービングセル、または、ハンドオーバプ
ロシージャにおいてプライマリーセルと指示されたセルである。ＲＲＣ（Radio Resource
Control）コネクションが確立された時点、または、後に、１つまたは複数のセカンダリーセルが設定されてもよい。ただし、設定された複数のサービングセルは、１つのプライマリーセカンダリーセル（Primary SCell、PSCellとも称される）を含んでもよい。プラ
イマリーセカンダリーセルは、端末装置１が設定された１つまたは複数のセカンダリーセルのうち、上りリンクにおいて制御情報を送信可能なセカンダリーセルであってもよい。また、端末装置１に対して、マスターセルグループ（Master Cell Group、MCGとも称される）とセカンダリーセルグループ（Secondary Cell Group、SCGとも称される）の２種類
のサービングセルのサブセットが設定されてもよい。マスターセルグループは１つのプライマリーセルと０個以上のセカンダリーセルで構成される。セカンダリーセルグループは１つのプライマリーセカンダリーセルと０個以上のセカンダリーセルで構成される。
【００２６】
本実施形態の無線通信システムは、ＴＤＤ（Time Division Duplex）および／またはＦＤＤ（Frequency Division Duplex）が適用されてよい。複数のセルの全てに対してＴＤ
Ｄ（Time Division Duplex）方式またはＦＤＤ（Frequency Division Duplex）方式が適
用されてもよい。また、ＴＤＤ方式が適用されるセルとＦＤＤ方式が適用されるセルが集約されてもよい。
【００２７】
下りリンクにおいて、サービングセルに対応するキャリアを下りリンクコンポーネントキャリア（あるいは下りリンクキャリア）と称する。上りリンクにおいて、サービングセルに対応するキャリアを上りリンクコンポーネントキャリア（あるいは上りリンクキャリア）と称する。サイドリンクにおいて、サービングセルに対応するキャリアをサイドリンクコンポーネントキャリア（あるいはサイドリンクキャリア）と称する。下りリンクコンポーネントキャリア、上りリンクコンポーネントキャリア、および／またはサイドリンクコンポーネントキャリアを総称してコンポーネントキャリア（あるいはキャリア）と称する。
【００２８】
本実施形態の物理チャネルおよび物理信号について説明する。ただし、下りリンク物理チャネルおよび／または下りリンク物理信号を総称して、下りリンク信号と称してもよい。上りリンク物理チャネルおよび／または上りリンク物理信号を総称して、上りリンク信号と称してもよい。下りリンク物理チャネルおよび／または上りリンク物理チャネルを総称して、物理チャネルと称してもよい。下りリンク物理信号および／または上りリンク物理信号を総称して、物理信号と称してもよい。
【００２９】
図１において、端末装置１と基地局装置３の下りリンク無線通信では、以下の下りリンク物理チャネルが用いられる。下りリンク物理チャネルは、上位層から出力された情報を送信するために使用される。
・ＮＲ−ＰＢＣＨ（New Radio Physical Broadcast CHannel）
・ＮＲ−ＰＤＣＣＨ（New Radio Physical Downlink Control CHannel）
・ＮＲ−ＰＤＳＣＨ（New Radio Physical Downlink Shared CHannel）
ＮＲ−ＰＢＣＨは、端末装置１が必要とする重要なシステム情報（Ｅｓｓｅｎｔｉａｌ
ｉｎｆｏｒｍａｔｉｏｎ）を含む重要情報ブロック（ＭＩＢ：Ｍａｓｔｅｒ  Ｉｎｆｏｒｍａｔｉｏｎ  Ｂｌｏｃｋ、ＥＩＢ：Ｅｓｓｅｎｔｉａｌ  Ｉｎｆｏｒｍａｔｉｏｎ  Ｂｌｏｃｋ）を基地局装置３が報知するために用いられる。ここで、１つまたは複数の重要情報ブロックは、重要情報メッセージとして送信されてもよい。例えば、重要情報ブロックにはフレーム番号（ＳＦＮ：Ｓｙｓｔｅｍ  Ｆｒａｍｅ  Ｎｕｍｂｅｒ）の一部あるいは全部を示す情報（例えば、複数のフレームで構成されるスーパーフレーム内における位置に関する情報）が含まれてもよい。例えば、無線フレーム（１０ｍｓ）は、１ｍｓのサブフレームの１０個で構成され、無線フレームは、フレーム番号で識別される。フレーム番号は、１０２４で０に戻る（Wrap around）。また、セル内の領域ごとに異なる重要
情報ブロックが送信される場合には領域を識別できる情報（例えば、領域を構成する下りリンク送信ビームの識別子情報）が含まれてもよい。ここで、下りリンク送信ビームの識別子情報は、下りリンク送信ビーム（プリコーディング）のインデックスを用いて示されてもよい。また、セル内の領域ごとに異なる重要情報ブロック（重要情報メッセージ）が送信される場合にはフレーム内の時間位置（例えば、当該重要情報ブロック（重要情報メッセージ）が含まれるサブフレーム番号）を識別できる情報が含まれてもよい。すなわち、異なる下りリンク送信ビームのインデックスが用いられた重要情報ブロック（重要情報メッセージ）の送信のそれぞれが行われるサブフレーム番号のそれぞれを決定するための情報が含まれてもよい。例えば、重要情報には、セルへの接続やモビリティのために必要な情報が含まれてもよい。
【００３０】
ＮＲ−ＰＤＣＣＨは、下りリンクの無線通信（基地局装置３から端末装置１への無線通信）において、下りリンク制御情報（Downlink Control Information: DCI）を送信する
ために用いられる。ここで、下りリンク制御情報の送信に対して、１つまたは複数のＤＣＩ（ＤＣＩフォーマットと称してもよい）が定義される。すなわち、下りリンク制御情報
に対するフィールドがＤＣＩとして定義され、情報ビットへマップされる。
【００３１】
例えば、ＤＣＩとして、スケジューリングされたＮＲ−ＰＤＳＣＨに対するＨＡＲＱ−ＡＣＫを送信するタイミング（例えば、ＮＲ−ＰＤＳＣＨに含まれる最後のシンボルからＨＡＲＱ−ＡＣＫ送信までのシンボル数）示す情報を含むＤＣＩが定義されてもよい。
【００３２】
例えば、ＤＣＩとして、１つのセルにおける１つの下りリンクの無線通信ＮＲ−ＰＤＳＣＨ（１つの下りリンクトランスポートブロックの送信）のスケジューリングのために用いられるＤＣＩが定義されてもよい。
【００３３】
例えば、ＤＣＩとして、１つのセルにおける１つの上りリンクの無線通信ＮＲ−ＰＵＳＣＨ（１つの上りリンクトランスポートブロックの送信）のスケジューリングのために用いられるＤＣＩが定義されてもよい。
【００３４】
ここで、ＤＣＩには、ＮＲ−ＰＤＳＣＨあるいはＮＲ−ＰＵＳＣＨのスケジューリングに関する情報が含まれる。ここで、下りリンクに対するＤＣＩを、下りリンクグラント（downlink grant）、または、下りリンクアサインメント（downlink assignment）とも称
する。ここで、上りリンクに対するＤＣＩを、上りリンクグラント（uplink grant）、または、上りリンクアサインメント（Uplink assignment）とも称する。
【００３５】
ＮＲ−ＰＤＳＣＨは、媒介アクセス（MAC: Medium Access Control）からの下りリンクデータ（DL-SCH: Downlink Shared CHannel）の送信に用いられる。また、システム情報
（SI: System Information）やランダムアクセス応答（RAR: Random Access Response）
などの送信にも用いられる。
【００３６】
ここで、基地局装置３と端末装置１は、上位層（higher layer）において信号をやり取り（送受信）する。例えば、基地局装置３と端末装置１は、無線リソース制御（RRC: Radio Resource Control）層において、ＲＲＣシグナリング（RRC message: Radio Resource
Control message、RRC information: Radio Resource Control informationとも称され
る）を送受信してもよい。また、基地局装置３と端末装置１は、ＭＡＣ（Medium Access Control）層において、ＭＡＣコントロールエレメントを送受信してもよい。ここで、Ｒ
ＲＣシグナリング、および／または、ＭＡＣコントロールエレメントを、上位層の信号（higher layer signaling）とも称する。ここでの上位層は、物理層から見た上位層を意味するため、ＭＡＣ層、ＲＲＣ層、ＲＬＣ層、ＰＤＣＰ層、ＮＡＳ層などの一つまたは複数を含んでもよい。例えば、ＭＡＣ層の処理において上位層とは、ＲＲＣ層、ＲＬＣ層、ＰＤＣＰ層、ＮＡＳ層などの一つまたは複数を含んでもよい。
【００３７】
ＮＲ−ＰＤＳＣＨは、ＲＲＣシグナリング、および、ＭＡＣコントロールエレメント（MAC CE: Medium Access Control Control Element）を送信するために用いられてもよい
。ここで、基地局装置３から送信されるＲＲＣシグナリングは、セル内における複数の端末装置１に対して共通のシグナリングであってもよい。また、基地局装置３から送信されるＲＲＣシグナリングは、ある端末装置１に対して専用のシグナリング（dedicated signalingとも称する）であってもよい。すなわち、端末装置固有（ＵＥスペシフィック）な
情報は、ある端末装置１に対して専用のシグナリングを用いて送信されてもよい。
【００３８】
図１において、下りリンクの無線通信では、以下の下りリンク物理信号が用いられる。ここで、下りリンク物理信号は、上位層から出力された情報を送信するために使用されないが、物理層によって使用される。
・同期信号（Synchronization signal: SS）
・参照信号（Reference Signal: RS）
同期信号は、端末装置１が下りリンクの周波数領域および時間領域の同期をとるために用いられる。同期信号は、プライマリ同期信号（ＰＳＳ：Primary Synchronization Signal）およびセカンダリ同期信号（ＳＳＳ）を含んでよい。また、同期信号は、端末装置１がセル識別子（セルＩＤ：Cell Identifier）を特定するために用いられてもよい。また
、同期信号は、下りリンクビームフォーミングにおいて基地局装置３が用いる下りリンク送信ビームおよび／または端末装置１が用いる下りリンク受信ビームの選択／識別／決定に用いられて良い。すなわち、同期信号は、基地局装置３によって下りリンク信号に対して適用された下りリンク送信ビームのインデックスを、端末装置１が選択／識別／決定するために用いられてもよい。ただし、ＮＲにおいて用いられる同期信号、プライマリ同期信号およびセカンダリ同期信号をそれぞれＮＲ−ＳＳ、ＮＲ−ＰＳＳ、ＮＲ−ＳＳＳと称してもよい。
【００３９】
下りリンクの参照信号（以下、本実施形態では単に参照信号とも記載する）は、用途等に基づいて複数の参照信号に分類されてよい。例えば、参照信号には以下の参照信号の１つまたは複数が用いられてよい。
【００４０】
・ＤＭＲＳ（Demodulation Reference Signal）
・ＣＳＩ−ＲＳ（Channel State Information Reference Signal）
・ＰＴＲＳ（Phase Tracking Reference Signal）
・ＭＲＳ（Mobility Reference Signal）
ＤＭＲＳは、受信した変調信号の復調時の伝搬路補償に用いられてよい。ＤＭＲＳは、ＮＲ−ＰＤＳＣＨの復調用、ＮＲ−ＰＤＣＣＨの復調用、および／またはＮＲ−ＰＢＣＨの復調用のＤＭＲＳを総じてＤＭＲＳと称してもよいし、それぞれ個別に定義されてもよい。
【００４１】
ＣＳＩ−ＲＳは、チャネル状態測定に用いられてよい。ＰＴＲＳは、端末の移動等により位相をトラックするために使用されてよい。ＭＲＳは、ハンドオーバのための複数の基地局装置からの受信品質を測定するために使用されてよい。
【００４２】
また、参照信号には、位相雑音を補償するための参照信号が定義されてもよい。
【００４３】
ただし、上記複数の参照信号の少なくとも一部は、他の参照信号がその機能を有してもよい。
【００４４】
また、上記複数の参照信号の少なくとも１つ、あるいはその他の参照信号が、セルに対して個別に設定されるセル固有参照信号（Ｃｅｌｌ−ｓｐｅｃｉｆｉｃ  ｒｅｆｅｒｅｎｃｅ  ｓｉｇｎａｌ；ＣＲＳ）、基地局装置３あるいは送受信点４が用いる送信ビーム毎のビーム固有参照信号（Ｂｅａｍ−ｓｐｅｃｉｆｉｃ  ｒｅｆｅｒｅｎｃｅ  ｓｉｇｎａｌ；ＢＲＳ）、および／または、端末装置１に対して個別に設定される端末固有参照信号（ＵＥ−ｓｐｅｃｉｆｉｃ  ｒｅｆｅｒｅｎｃｅ  ｓｉｇｎａｌ；ＵＲＳ）として定義されてもよい。
【００４５】
また、参照信号の少なくとも１つは、無線パラメータやサブキャリア間隔などのヌメロロジーやＦＦＴの窓同期などができる程度の細かい同期（Fine synchronization）に用いられて良い。
【００４６】
また、参照信号の少なくとも１つは、無線リソース測定（ＲＲＭ：Radio Resource Measurement）に用いられてよい。また、参照信号の少なくとも１つは、ビームマネジメントに用いられてよい。
【００４７】
また、参照信号の少なくとも１つには、同期信号が用いられてもよい。
【００４８】
図１において、端末装置１と基地局装置３の上りリンク無線通信（端末装置１から基地局装置３の無線通信）では、以下の上りリンク物理チャネルが用いられる。上りリンク物理チャネルは、上位層から出力された情報を送信するために使用される。
・ＮＲ−ＰＵＣＣＨ（New Radio Physical Uplink Control CHannel）
・ＮＲ−ＰＵＳＣＨ（New Radio Physical Uplink Shared CHannel）
・ＮＲ−ＰＲＡＣＨ（New Radio Physical Random Access CHannel）
ＮＲ−ＰＵＣＣＨは、上りリンク制御情報（Uplink Control Information: UCI）を送
信するために用いられる。ここで、上りリンク制御情報には、下りリンクのチャネルの状態を示すために用いられるチャネル状態情報（CSI: Channel State Information）が含まれてもよい。また、上りリンク制御情報には、ＵＬ−ＳＣＨリソースを要求するために用いられるスケジューリング要求（SR: Scheduling Request）が含まれてもよい。また、上りリンク制御情報には、ＨＡＲＱ−ＡＣＫ（Hybrid Automatic Repeat request ACKnowledgement）が含まれてもよい。ＨＡＲＱ−ＡＣＫは、下りリンクデータ（Transport block, Medium Access Control Protocol Data Unit: MAC PDU, Downlink-Shared Channel: DL-SCH）に対するＨＡＲＱ−ＡＣＫを示してもよい。
【００４９】
ＮＲ−ＰＵＳＣＨは、媒介アクセス（MAC: Medium Access Control）からの上りリンクデータ（UL-SCH: Uplink Shared CHannel）の送信に用いられる。また、上りリンクデー
タと共にＨＡＲＱ−ＡＣＫおよび／またはＣＳＩを送信するために用いられてもよい。また、ＣＳＩのみ、または、ＨＡＲＱ−ＡＣＫおよびＣＳＩのみを送信するために用いられてもよい。すなわち、ＵＣＩのみを送信するために用いられてもよい。
【００５０】
ＮＲ−ＰＵＳＣＨは、ＲＲＣシグナリング、および、ＭＡＣコントロールエレメントを送信するために用いられてもよい。ここで、ＮＲ−ＰＵＳＣＨは、上りリンクに置いてＵＥの能力（UE Capability）の送信に用いられてもよい。
【００５１】
なお、ＮＲ−ＰＤＣＣＨとＮＲ−ＰＵＣＣＨには同一の呼称（例えばＮＲ−ＰＣＣＨ）および同一のチャネル定義が用いられてもよいし。ＮＲ−ＰＤＳＣＨとＮＲ−ＰＵＳＣＨには同一の呼称（例えばＮＲ−ＰＳＣＨ）および同一のチャネル定義が用いられてもよい。
【００５２】
図１において、上りリンクの無線通信では、以下の上りリンク物理信号が用いられる。ここで、上りリンク物理信号は、上位層から出力された情報を送信するために使用されないが、物理層によって使用される。
・上りリンク参照信号（Uplink Reference Signal: UL RS）
本実施形態において、以下の２つのタイプの上りリンク参照信号が用いられる。
・ＤＭＲＳ（Demodulation Reference Signal）
・ＳＲＳ（Sounding Reference Signal）
基地局装置３は、ＮＲ−ＰＵＳＣＨまたはＮＲ−ＰＵＣＣＨの伝搬路補正を行なうためにＤＭＲＳを使用する。以下、ＮＲ−ＰＵＳＣＨとＤＭＲＳを共に送信することを、単にＮＲ−ＰＵＳＣＨを送信すると称する。以下、ＮＲ−ＰＵＣＣＨとＤＭＲＳを共に送信することを、単にＮＲ−ＰＵＣＣＨを送信すると称する。
【００５３】
基地局装置３は、上りリンクのチャネル状態を測定するためにＳＲＳを使用する
ＮＲ−ＰＲＡＣＨは、ランダムアクセスプリアンブルを送信するために用いられてもよい。ＮＲ−ＰＲＡＣＨは、初期コネクション確立（ｉｎｉｔｉａｌ  ｃｏｎｎｅｃｔｉｏｎ  ｅｓｔａｂｌｉｓｈｍｅｎｔ）プロシージャ、ハンドオーバプロシージャ、コネクション再確立（ｃｏｎｎｅｃｔｉｏｎ  ｒｅ−ｅｓｔａｂｌｉｓｈｍｅｎｔ）プロシージャ
、上りリンク送信に対する同期（タイミング調整）、およびＮＲ−ＰＵＳＣＨ（ＵＬ−ＳＣＨ）リソースの要求を示すために用いられてもよい。
【００５４】
以下、サブフレームについて説明する。本実施形態ではサブフレームと称するが、リソースユニット、無線フレーム、時間区間、時間間隔などと称されてもよい。
【００５５】
図２は、本発明の実施形態に係る下りリンクスロットの概略構成の一例を示す図である。無線フレームのそれぞれは、１０ｍｓ長である。また、無線フレームのそれぞれは１０個のサブフレームおよびＸ個のスロットから構成される。つまり、１サブフレームの長さは１ｍｓである。スロットのそれぞれは、サブキャリア間隔によって時間長が定義される。例えば、ＯＦＤＭシンボルのサブキャリア間隔が１５ｋＨｚ、ＮＣＰ（Normal Cyclic Prefix）の場合、Ｘ＝７あるいはＸ＝１４であり、それぞれ０．５ｍｓおよび１ｍｓである。また、サブキャリア間隔が６０ｋＨｚの場合は、Ｘ＝７あるいはＸ＝１４であり、それぞれ０．１２５ｍｓおよび０．２５ｍｓである。図２は、Ｘ＝７の場合を一例として示している。なお、Ｘ＝１４の場合にも同様に拡張できる。また、上りリンクスロットも同様に定義され、下りリンクスロットと上りリンクスロットは別々に定義されてもよい。
【００５６】
スロットのそれぞれにおいて送信される信号または物理チャネルは、リソースグリッドによって表現されてよい。リソースグリッドは、複数のサブキャリアと複数のＯＦＤＭシンボルによって定義される。1つのスロットを構成するサブキャリアの数は、セルの下り
リンクおよび上りリンクの帯域幅にそれぞれ依存する。リソースグリッド内のエレメントのそれぞれをリソースエレメントと称する。リソースエレメントは、サブキャリアの番号とＯＦＤＭシンボルの番号とを用いて識別されてよい。
【００５７】
リソースブロックは、ある物理下りリンクチャネル（ＰＤＳＣＨなど）あるいは上りリンクチャネル（ＰＵＳＣＨなど）のリソースエレメントのマッピングを表現するために用いられる。リソースブロックは、仮想リソースブロックと物理リソースブロックが定義される。ある物理上りリンクチャネルは、まず仮想リソースブロックにマップされる。その後、仮想リソースブロックは、物理リソースブロックにマップされる。スロットに含まれるＯＦＤＭシンボル数Ｘ＝７で、ＮＣＰの場合には、１つの物理リソースブロックは、時間領域において７個の連続するＯＦＤＭシンボルと周波数領域において１２個の連続するサブキャリアとから定義される。つまり、１つの物理リソースブロックは、（７×１２）個のリソースエレメントから構成される。ＥＣＰ（Extended CP）の場合、１つの物理リ
ソースブロックは、例えば、時間領域において６個の連続するＯＦＤＭシンボルと、周波数領域において１２個の連続するサブキャリアとにより定義される。つまり、１つの物理リソースブロックは、（６×１２）個のリソースエレメントから構成される。このとき、１つの物理リソースブロックは、時間領域において１つのスロットに対応し、周波数領域において１８０ｋＨｚに対応する。物理リソースブロックは、周波数領域において０から番号が付けられている。
【００５８】
次に、サブフレーム、スロット、ミニスロットについて説明する。図３は、サブフレーム、スロット、ミニスロットの時間領域における関係を示した図である。同図のように、３種類の時間ユニットが定義される。サブフレームは、サブキャリア間隔によらず１ｍｓであり、スロットに含まれるＯＦＤＭシンボル数は７または１４であり、スロット長はサブキャリア間隔により異なる。ここで、サブキャリア間隔が１５ｋＨｚの場合、１サブフレームには１４ＯＦＤＭシンボル含まれる。そのため、スロット長は、サブキャリア間隔をΔｆ（ｋＨｚ）とすると、１スロットを構成するＯＦＤＭシンボル数が７の場合、スロット長は０．５／（Δｆ／１５）ｍｓで定義されてよい。ここで、Δｆはサブキャリア間隔（ｋＨｚ）で定義されてよい。また、１スロットを構成するＯＦＤＭシンボル数が７の場合、スロット長は１／（Δｆ／１５）ｍｓで定義されてよい。ここで、Δｆはサブキャ
リア間隔（ｋＨｚ）で定義されてよい。さらに、スロットに含まれるＯＦＤＭシンボル数をＸとしたときに、スロット長はＸ／１４／（Δｆ／１５）ｍｓで定義されてもよい。
【００５９】
ミニスロット（サブスロットと称されてもよい）は、スロットに含まれるＯＦＤＭシンボル数よりも少ないＯＦＤＭシンボルで構成される時間ユニットである。同図はミニスロットが２ＯＦＤＭシンボルで構成される場合を一例として示している。ミニスロット内のＯＦＤＭシンボルは、スロットを構成するＯＦＤＭシンボルタイミングに一致してもよい。なお、スケジューリングの最小単位はスロットまたはミニスロットでもよい。
【００６０】
図４に、スロットまたはサブフレームの一例を示している。ここでは、サブキャリア間隔１５ｋＨｚにおいてスロット長が０．５ｍｓの場合を例として示している。同図において、Ｄは下りリンク、Ｕは上りリンクを示している。同図に示されるように、ある時間区間内（例えば、システムにおいて１つのＵＥに対して割り当てなければならない最小の時間区間）においては、
・下りリンクパート（デュレーション）
・ギャップ
・上りリンクパート（デュレーション）
のうち１つまたは複数を含んでよい。
【００６１】
図４（ａ）は、ある時間区間（例えば、１ＵＥに割当可能な時間リソースの最小単位、またはタイムユニットなどとも称されてよい。また、時間リソースの最小単位を複数束ねてタイムユニットと称されてもよい。）で、全て下りリンク送信に用いられている例であり、図４（ｂ）は、最初の時間リソースで例えばＮＲ−ＰＤＣＣＨを介して上りリンクのスケジューリングを行い、ＮＲ−ＰＤＣＣＨの処理遅延及び下りから上りの切り替え時間、送信信号の生成のためのギャップを介して上りリンク信号を送信する。図４（ｃ）は、最初の時間リソースで下りリンクのＮＲ−ＰＤＣＣＨおよび／または下りリンクのＮＲ−ＰＤＳＣＨの送信に用いられ、処理遅延及び下りから上りの切り替え時間、送信信号の生成のためのギャップを介してＮＲ−ＰＵＳＣＨまたはＮＲ−ＰＵＣＣＨの送信に用いられる。ここで、一例としては、上りリンク信号はＨＡＲＱ−ＡＣＫおよび／またはＣＳＩ、すなわちＵＣＩの送信に用いられてよい。図４（ｄ）は、最初の時間リソースでＮＲ−ＰＤＣＣＨおよび／またはＮＲ−ＰＤＳＣＨの送信に用いられ、処理遅延及び下りから上りの切り替え時間、送信信号の生成のためのギャップを介してＮＲ−ＰＵＳＣＨおよび／またはＮＲ−ＰＵＣＣＨの送信に用いられる。ここで、一例としては、上りリンク信号は上りリンクデータ、すなわちＵＬ−ＳＣＨの送信に用いられてもよい。図４（ｅ）は、全て上りリンク送信（ＮＲ−ＰＵＳＣＨまたはＮＲ−ＰＵＣＣＨ）に用いられている例である。
【００６２】
上述の下りリンクパート、上りリンクパートは、ＬＴＥと同様複数のＯＦＤＭシンボルで構成されてよい。
【００６３】
本発明の実施形態におけるビームフォーミング、ビームマネジメントおよび／またはビームスウィーピングについて説明する。
【００６４】
送信側（下りリンクの場合は基地局装置３であり、上りリンクの場合は端末装置１である）におけるビームフォーミングは、複数の送信アンテナエレメントの各々に対してアナログまたはデジタルで振幅・位相を制御することで任意の方向に高い送信アンテナゲインで信号を送信する方法であり、そのフィールドパターンを送信ビームと称する。また、受信側（下りリンクの場合は端末装置１、上りリンクの場合は基地局装置３である）におけるビームフォーミングは、複数の受信アンテナエレメントの各々に対してアナログまたはデジタルで振幅・位相を制御することで任意の方向に高い受信アンテナゲインで信号を受
信する方法であり、そのフィールドパターンを受信ビームと称する。ビームマネジメントは、送信ビームおよび／または受信ビームの指向性合わせ、ビーム利得を獲得するための基地局装置３および／または端末装置１の動作であってよい。
【００６５】
図５に、ビームフォーミングの一例を示す。複数のアンテナエレメントは１つの送信ユニット（TXRU: Transceiver unit）５０に接続され、アンテナエレメント毎の位相シフタ５１によって位相を制御し、アンテナエレメント５２から送信することで送信信号に対して任意の方向にビームを向けることができる。典型的には、ＴＸＲＵ５０がアンテナポートとして定義されてよく、端末装置１においてはアンテナポートのみが定義されてよい。位相シフタ５１を制御することで任意の方向に指向性を向けることができるため、基地局装置３は端末装置１に対して利得の高いビームを用いて通信することができる。
【００６６】
ビームフォーミングは、ヴァーチャライゼーション、プリコーディング、ウェイトの乗算などと称されてもよい。また、単にビームフォーミングを用いて送信された信号そのものを送信ビームと呼んでもよい。
【００６７】
本実施形態では、上りリンク送信のビームフォーミングで端末装置１が使用する送信ビームを上りリンク送信ビーム（UL Tx beam）と称し、上りリンク受信のビームフォーミングで基地局装置３が使用する受信ビームを上りリンク受信ビーム（UL Rx beam）と称する。ただし、上りリンク送信ビームを端末装置１における送信空間フィルタ設定と称し、上りリンク受信ビームを基地局装置３における受信空間フィルタ設定と称してもよい。また、下りリンク送信のビームフォーミングで基地局装置３が使用する送信ビームを下りリンク送信ビーム（DL Tx beam）と称し、下りリンク受信のビームフォーミングで端末装置１が使用する受信ビームを下りリンク受信ビーム（DL Rx beam）と称する。ただし、下りリンク送信ビームを基地局装置３における送信空間フィルタ設定と称し、下りリンク受信ビームを端末装置１における受信空間フィルタ設定と称してもよい。ただし、上りリンク送信ビームと上りリンク受信ビームを総じて上りリンクビーム、下りリンク送信ビームと下りリンク受信ビームを総じて下りリンクビームと称してもよい。ただし、上りリンクビームフォーミングのために端末装置１が行う処理を上りリンク送信ビーム処理、または上りリンクプリコーディングと称し、上りリンクビームフォーミングのために基地局装置３が行う処理を上りリンク受信ビーム処理と称してもよい。ただし、下りリンクビームフォーミングのために端末装置１が行う処理を下りリンク受信ビーム処理と称し、下りリンクビームフォーミングのために基地局装置３が行う処理を下りリンク送信ビーム処理または下りリンクプリコーディングと称してもよい。
【００６８】
ただし、１ＯＦＤＭシンボルで基地局装置３が複数の下りリンク送信ビームを用いて信号を送信してもよい。例えば、基地局装置３のアンテナエレメントをサブアレーに分割して各サブアレーで異なる下りリンクビームフォーミングを行ってもよい。偏波アンテナを用いて各偏波で異なる下りリンクビームフォーミングを行ってもよい。同様に１ＯＦＤＭシンボルで端末装置１が複数の上りリンク送信ビームを用いて信号を送信してもよい。
【００６９】
ただし、本実施形態では、基地局装置３および／または送受信点４が構成するセル内で当該基地局装置３が複数の下りリンク送信ビームを切り替えて使用する場合を説明するが、下りリンク送信ビーム毎に個別のセルが構成されてもよい。
【００７０】
本実施形態に係るビームマネジメントには、下記の動作を含んでよい。
・ビーム選択（Beam selection）
・ビーム改善（Beam refinement）
・ビームリカバリ（Beam recovery）
例えば、ビーム選択は、基地局装置３と端末装置１の間の通信においてビームを選択す
る動作であってよい。また、ビーム改善は、さらに利得の高いビームの選択、あるいは端末装置１の移動によって最適な基地局装置３と端末装置１の間のビームの変更をする動作であってよい。ビームリカバリは、基地局装置３と端末装置１の間の通信において遮蔽物や人の通過などにより生じるブロッケージにより通信リンクの品質が低下した際にビームを再選択する動作であってよい。上記の動作は、上記の目的に限定されない。基地局装置３は、さまざまな状況でビームマネジメントを行うため、目的を限定しなくても、効果を発揮しうる。
【００７１】
例えば、端末装置１における基地局装置３の送信ビームを選択する際に参照信号（例えば、ＣＳＩ−ＲＳ）を用いてもよいし、擬似同位置（ＱＣＬ：Quasi Co-Location）想定
を用いてもよい。
【００７２】
もしあるアンテナポートにおけるあるシンボルが搬送されるチャネルの長区間特性（Long Term Property）が他方のアンテナポートにおけるあるシンボルが搬送されるチャネルから推論されうるなら、２つのアンテナポートはＱＣＬであるといわれる。チャネルの長区間特性は、遅延スプレッド、ドップラースプレッド、ドップラーシフト、平均利得、及び平均遅延の１つまたは複数を含む。例えば、アンテナポート１とアンテナポート２が平均遅延に関してＱＣＬである場合、アンテナポート１の受信タイミングからアンテナポート２の受信タイミングが推論されうることを意味する。
【００７３】
このＱＣＬは、ビームマネジメントにも拡張されうる。そのために、空間に拡張したＱＣＬが新たに定義されてもよい。例えば、空間のＱＣＬ想定におけるチャネルの長区間特性（Long term property）として、以下の一つまたは複数を、上記に加えてさらに含んでもよい。
・無線リンクあるいはチャネルにおける到来角（AoA（Angle of Arrival）, ZoA（Zenith
angle of Arrival）など）および／またはその角度広がり（Angle Spread、例えばASA（Angle Spread of Arrival）やZSA（Zenith angle Spread of Arrival））
・無線リンクあるいはチャネルにおける送出角（AoD, ZoDなど）および／またはその角度広がり（Angle Spread、例えばASD（Angle Spread of Departure）やZSS（Zenith angle Spread of Departure））
・空間相関（Spatial Correlation）
この方法により、ビームマネジメントとして、空間のＱＣＬ想定と無線リソース（時間および／または周波数）によりビームマネジメントと等価な基地局装置３、端末装置１の動作が定義されてもよい。
【００７４】
ただし、プリコーディングあるいは送信ビームの各々に対してアンテナポートが割り当てられてもよい。例えば、本実施形態に係る異なるプリコーディングを用いて送信される信号あるいは異なる送信ビームを用いて送信される信号は異なる一つまたは複数のアンテナポートで送信される信号として定義されてもよい。ただし、アンテナポートは、あるアンテナポートであるシンボルが送信されるチャネルを、同一のアンテナポートで別のシンボルが送信されるチャネルから推定できるものとして定義される。同一のアンテナポートとは、アンテナポートの番号（アンテナポートを識別するための番号）が、同一であることであってもよい。複数のアンテナポートでアンテナポートセットが構成されてもよい。同一のアンテナポートセットとは、アンテナポートセットの番号（アンテナポートセットを識別するための番号）が、同一であることであってもよい。異なる上りリンク送信ビームを適用して信号を送信するとは、異なるアンテナポートまたは複数のアンテナポートで構成される異なるアンテナポートセットで信号を送信することであってもよい。ビームインデックスはそれぞれＯＦＤＭシンボル番号、アンテナポート番号またはアンテナポートセット番号であってもよい。
【００７５】
トランスフォームプリコーディングには、レイヤマッピングで生成された、一つまたは複数のレイヤに対する複素変調シンボルが入力される。トランスフォームプリコーディングは、複素数シンボルのブロックを、一つのＯＦＤＭシンボルに対応するそれぞれのレイヤごとのセットに分割する処理であってもよい。ＯＦＤＭが使われる場合には、トランスフォームプリコーディングでのＤＦＴ（Discrete Fourier Transform）の処理は必要ないかもしれない。プリコーディングは、トランスフォームプリコーダからの得られたベクターのブロックを入力として、リソースエレメントにマッピングするベクターのブロックを生成することであってもよい。空間多重の場合、リソースエレメントにマッピングするベクターのブロックを生成する際に、プリコーディングマトリックスの一つを適応してもよい。この処理を、デジタルビームフォーミングと呼んでもよい。また、プリコーディングは、アナログビームフォーミングとデジタルビームフォーミングを含んで定義されてもよいし、デジタルビームフォーイングとして定義されてもよい。プリコーディングされた信号にビームフォーミングが適用されるようにしてもよいし、ビームフォーミングが適用された信号にプリコーディングが適用されるようにしてもよい。ビームフォーミングは、アナログビームフォーミングを含んでデジタルビームフォーミングを含まなくてもよいし、デジタルビームフォーミングとアナログビームフォーミングの両方を含んでもよい。ビームフォーミングされた信号、プリコーディングされた信号、またはビームフォーミングおよびプリコーディングされた信号をビームと呼んでもよい。ビームのインデックスはプレコーディングマトリックスのインデックスでもよい。ビームのインデックスとプリコーディングマトリックスのインデックスが独立に定義されてもよい。ビームのインデックスで示されたビームにプリコーディングマトリックスのインデックスで示されるプリコーディングマトリックスを適用して信号を生成してもよい。プリコーディングマトリックスのインデックスで示されるプリコーディングマトリックスを適用した信号に、ビームのインデックスで示されたビームフォーミングを適用して信号を生成してもよい。デジタルビームフォーミングは、周波数方向のリソース（例えば、サブキャリアのセット）に異なるプリコーディングマトリックス適応することかもしれない。
【００７６】
ただし、本実施形態では、所定の送信ビームおよび／または所定の受信ビームを用いて構成される無線リンクをビームペアリンクと称してもよい。例えば、下りリンクにおいて、異なる下りリンク送信ビームおよび／または異なる下りリンク受信ビームを用いて構成されるビームペアリンクを、異なる下りリンクビームペアリンクとしてもよい。例えば、上りリンクにおいて、異なる上りリンク送信ビームおよび／または異なる上りリンク受信ビームを用いて構成されるビームペアリンクを、異なる上りリンクビームペアリンクとしてもよい。例えば、端末装置１があるセルにおいて複数の下りリンク送信ビームおよび／または複数の下りリンク受信ビームを用いて下りリンク信号を受信しうる状態を、複数の下りリンクビームペアリンクを有する状態と称してもよい。例えば、端末装置１があるセルにおいて複数の上りリンク送信ビームおよび／または複数の上りリンク受信ビームを用いて上りリンク信号を送信しうる状態を、複数の上りリンクビームペアリンクを有する状態と称してもよい。
【００７７】
本実施形態における下りリンクビームペアリンク（beam pair link）の概念について説明する。
【００７８】
図６は、端末装置１と基地局装置３がセル１００において複数の下りリンクビームペアリンクを構成している場合を示している。第１の下りリンクビームペアリンクとして、基地局装置３から下りリンク送信ビームｔ１を用いて送信される下りリンク信号に対して端末装置１は下りリンク受信ビームｒ１を用いて受信する。第２の下りリンクビームペアリンクとして、基地局装置３から下りリンク送信ビームｔ２を用いて送信される下りリンク信号に対して端末装置１は下りリンク受信ビームｒ２を用いて受信する。第３の下りリンクビームペアリンクとして、基地局装置３から下りリンク送信ビームｔ３を用いて送信さ
れる下りリンク信号に対して端末装置１は下りリンク受信ビームｒ３を用いて受信する。この場合、端末装置１と基地局装置３の間には３つの下りリンクビームペアリンクが構成されており、３つの下りリンクビームペアリンクの全てあるいは一部で下りリンクの送受信が行われる。例えば、端末装置１は各下りリンクビームペアリンクにおいて参照信号による受信電力および／または受信品質の測定を行なう。
【００７９】
ただし、１つの下りリンク送信ビームに対して、複数の下りリンク受信ビームを用いて複数の下りリンクビームペアリンクが構成されてもよい。ただし、１つの下りリンク受信ビームに対して、複数の下りリンク送信ビームを用いて複数の下りリンクビームペアリンクが構成されてもよい。ただし、用いられる下りリンク受信ビームに関わらず、１つの下りリンク送信ビームに対して１つの下りリンクビームペアリンクが対応付けられてもよい。ただし、用いられる上りリンク送信ビームに関わらず、１つの上りリンク受信ビームに対して１つの上りリンクビームペアリンクが対応付けられてもよい。
【００８０】
図７は、本実施形態に係る同期信号ブロック（ＳＳ（Synchronization Signal）ブロックとも称される）および同期信号バーストセット（ＳＳバーストセットとも称される）の例を示す図である。図７は、周期的に送信される同期信号バーストセット内に２つの同期信号ブロックが含まれ、同期信号ブロックは、４ＯＦＤＭシンボルで構成される例を示している。
【００８１】
ただし、１つまたは複数の同期信号ブロックが同期信号バースト（ＳＳバーストと称される）を構成し、１つまたは複数の同期信号バーストが同期信号バーストセットを構成してもよい。
【００８２】
同期信号ブロックは、同期信号（例えばＮＲ−ＰＳＳ、ＮＲ−ＳＳＳ）、および／またはＮＲ−ＰＢＣＨから構成される単位ブロックである。基地局装置３は同期信号バーストセット内の１つまたは複数の同期信号ブロックを用いて同期信号および／またはＮＲ−ＰＢＣＨを送信する場合に、同期信号ブロック毎に独立した下りリンク送信ビームを用いてもよい。
【００８３】
図７において、１つの同期信号ブロックにはＮＲ−ＰＳＳ、ＮＲ−ＳＳＳ、ＮＲ−ＰＢＣＨが時間多重され、ＮＲ−ＰＳＳおよび／またはＮＲ−ＳＳＳの帯域幅よりも広い帯域幅で送信されたＮＲ−ＰＢＣＨが２シンボル時間多重される例を示している。ただし、ＮＲ−ＰＳＳ、ＮＲ−ＳＳＳおよび／またはＮＲ−ＰＢＣＨが時間領域で多重される順番は図７に示す例と異なってもよい。例えばＮＲ−ＰＢＣＨを２シンボルで送信する場合に２つのＮＲ−ＰＢＣＨシンボルの間にＮＲ−ＳＳＳを送信するＯＦＤＭシンボルが存在してもよい。
【００８４】
同期信号バーストセットは、周期的に送信されてよい。例えば、初期アクセスに使用されるための周期と、接続されている（ConnectedまたはRRC_Connected）端末装置のために設定する周期が定義されてもよい。また、接続されている（ConnectedまたはRRC_Connected）端末装置のために設定する周期はＲＲＣ層で設定されてよい。また、接続されている（ConnectedまたはRRC_Connected）端末のために設定する周期は潜在的に送信する可能性がある時間領域の無線リソースの周期であって、実際には基地局装置３が送信するかどうかを決めてもよい。また、初期アクセスに使用されるための周期は、仕様書などに予め定義されてよい。
【００８５】
同期信号バーストセットは、システムフレーム番号（ＳＦＮ：System Frame Number）
に基づいて決定されてよい。また、同期信号バーストセットの開始位置（バウンダリ）は、ＳＦＮと周期に基づいて決定されてよい。
【００８６】
複数の同期信号バーストセットにおける各同期信号バーストセット内における相対的な時間が同じ同期信号ブロックは、同じ下りリンク送信ビームが適用されていると想定されてもよい。また、複数の同期信号バーストセットにおける各同期信号バーストセット内における相対的な時間が同じ同期信号ブロックにおけるアンテナポートは、平均遅延、ドップラーシフト、空間相関に関してＱＣＬであると想定されてもよい。
【００８７】
同期信号ブロック数は、例えば同期信号バースト、または同期信号バーストセット内、または同期信号ブロックの周期の中の同期信号ブロック数（個数）として定義されてよい。また、同期信号ブロック数は、同期信号バースト内、または同期信号バーストセット内、または同期信号ブロックの周期の中のセル選択のためのビームグループの数を示してもよい。ここで、ビームグループは、同期信号バースト内、または同期信号バーストセット内、または同期信号ブロックの周期の中に含まれる同期信号ブロックまたは異なるビームの数として定義されよい。
【００８８】
本実施形態に係るＳＲＳリソースの通知について説明する。
【００８９】
基地局装置３は、端末装置１に対して、ＳＲＳリソースインディケータ（ＳＲＳ  Ｒｅｓｏｕｒｃｅ  Ｉｎｄｉｃａｔｏｒ：ＳＲＩ））を送信することによって、ＳＲＳを送信したリソースの１つまたは複数を通知する。１つまたは複数のＳＲＳリソースは、少なくとも１つのアンテナポート、および／または１つの上りリンク送信ビーム（端末装置１の送信空間フィルタ設定あるいはプレコーダであってもよい）に関連付けられている。ＳＲＩの情報を受信した端末装置１は、該ＳＲＩに基づいて上りリンク送信に用いるアンテナポート、および／または上りリンク送信ビームを決定してもよい。
【００９０】
本実施形態のランダムアクセス手順（Random Access procedure）について説明する。
【００９１】
ランダムアクセス手順は、競合ベース（ｃｏｎｔｅｎｔｉｏｎ  ｂａｓｅｄ）と非競合ベース（ｎｏｎ−Ｃｏｎｔｅｎｔｉｏｎ  ｂａｓｅｄ）の２つの手順に分類される。
【００９２】
端末装置１は、基地局装置３と接続（通信）していない状態からの初期アクセス時、および／または、基地局装置３と接続中であるが端末装置１に送信可能な上りリンクデータあるいは送信可能なサイドリンクデータが発生した場合のスケジューリングリクエスト時などにおいて競合ベースのランダムアクセス手順を行なう。ただし、ランダムアクセスの用途はこれらに限定されない。
【００９３】
端末装置１に送信可能な上りリンクデータが発生していることは、送信可能な上りリンクデータに対応するバッファステータスレポートがトリガーされていることを含んでもよい。端末装置１に送信可能な上りリンクデータが発生していることは、送信可能な上りリンクデータの発生に基づいてトリガーされたスケジューリングリクエストがペンディングされていることを含んでもよい。
【００９４】
端末装置１に送信可能なサイドリンクデータが発生していることは、送信可能なサイドリンクデータに対応するバッファステータスレポートがトリガーされていることを含んでもよい。端末装置１に送信可能なサイドリンクデータが発生していることは、送信可能なサイドリンクデータの発生に基づいてトリガーされたスケジューリングリクエストがペンディングされていることを含んでもよい。
【００９５】
端末装置１は、基地局装置３からＮＲ−ＰＤＣＣＨを受信し、該ＮＲ−ＰＤＣＣＨにランダムアクセス手順の開始を指示する情報が含まれていた場合に、非競合ベースのランダ
ムアクセス手順を行なってもよい。ただし、該ランダムアクセス手順の開始を指示する情報はＮＲ−ＰＤＣＣＨオーダー、ＰＤＣＣＨオーダー、メッセージ０、Ｍｓｇ．０などと称されてもよい。非競合ベースのランダムアクセス手順は、基地局装置３からＮＲ−ＰＤＣＣＨオーダーで指示されたランダムアクセスプリアンブルインデックスに対応するプリアンブルを使用してランダムアクセスを行う手順であり、基地局装置３と端末装置１とが接続中であるがハンドオーバや移動局装置の送信タイミングが有効でない場合に、迅速に端末装置１と基地局装置３との間の上りリンク同期をとるためなどに用いられる。ただし、ランダムアクセスの用途はこれらに限定されない。
【００９６】
ただし、端末装置１は、ＮＲ−ＰＤＣＣＨオーダーで指示されたランダムアクセスプリアンブルインデックスが所定の値であった場合に、端末装置１が利用可能なプリアンブルのセットの中からランダムに１つを選択して送信する競合ベースのランダムアクセス手順を行なってもよい。
【００９７】
本実施形態の端末装置１は、ランダムアクセス手順を開始する（initiate）前に上位層を介してランダムアクセス設定情報を受信する。該ランダムアクセス設定情報には下記の情報または下記の情報を決定／設定するための情報が含まれてよい。
・ランダムアクセスプリアンブルの送信に利用可能な１つまたは複数の時間／周波数リソースのセット（ＰＲＡＣＨリソースと称される場合もある）（例えば、利用可能なＰＲＡＣＨリソースのセット）
・１つまたは複数のランダムアクセスプリアンブルグループ
・利用可能な１つまたは複数のランダムアクセスプリアンブルあるいは前記複数のランダムアクセスプリアンブルグループにおいて利用可能な１つまたは複数のランダムアクセスプリアンブル
・ランダムアクセス応答のウィンドウサイズおよび衝突解消（コンテンションレゾリューション：Contention Resolution）タイマー（mac-ContentionResolutionTimer）
・パワーランピングステップ
・プリアンブル送信の最大送信回数
・プリアンブルの初期送信電力
・プリアンブルフォーマットに基づく電力オフセット
・パワーランピングの最大回数
ただし、ランダムアクセス設定情報は同期信号バーストセット内の１つの同期信号ブロックに関連付けられていてもよい。ただし、ランダムアクセス設定情報は設定された１つまたは複数のＣＳＩ−ＲＳのうちの１つに関連付けられてもよい。ただし、ランダムアクセス設定情報は１つの下りリンク送信ビーム（あるいはビームインデックス）に関連付けられていてもよい。
【００９８】
ただし、端末装置１は、下りリンク信号によって１つまたは複数のランダムアクセス設定情報を受信し、該１つまたは複数のランダムアクセス設定情報のそれぞれが同期信号ブロック（ＣＳＩ−ＲＳまたは下りリンク送信ビームであってもよい）に関連付けられていてもよい。端末装置１は、受信した１つまたは複数の同期信号ブロック（ＣＳＩ−ＲＳまたは下りリンク送信ビームであってもよい）のうちの１つを選択し、選択した同期信号ブロックに関連付けられたランダムアクセス設定情報を用いてランダムアクセス手順を行なってもよい。
【００９９】
図８は、本実施形態に係るランダムアクセス設定情報の構成の例を示す図である。図８では、端末装置１が第１の同期信号ブロックに対応するランダムアクセス設定情報と第２の同期信号ブロックに対応するランダムアクセス設定情報を受信している。第１の同期信号ブロックに対応するランダムアクセス設定情報と第２の同期信号ブロックに対応するランダムアクセス設定情報のそれぞれがランダムアクセスに利用可能なプリアンブルグルー
プ、周波数・時間リソースのセット、および、その他の情報を含んでいる。
【０１００】
ただし、図８では、端末装置１が２つの同期信号ブロックに対応する２つのランダムアクセス設定情報を受信している場合を示しているが、端末装置１が３つ以上の同期信号ブロックに対応する３つ以上のランダムアクセス設定情報を受信してもよい。
【０１０１】
ただし、図８の例では、ランダムアクセス設定情報に含まれる各情報は同期信号ブロック毎に存在する場合を示しているが、ランダムアクセス設定情報に含まれる情報の一部が複数の同期信号ブロックで共通に設定されていてもよい。例えば、ランダムアクセス設定情報の一部は、同期信号ブロック、ＣＳＩ−ＲＳあるいは下りリンク送信ビーム（基地局装置３の送信フィルタ設定）毎に設定される情報であってもよく、その他がセル毎に設定される情報であってもよい。
【０１０２】
例えば、ランダムアクセス設定情報に含まれるランダムアクセスプリアンブルの送信に利用可能な１つまたは複数の時間／周波数リソースのセットは、同期信号ブロック、ＣＳＩ−ＲＳ、および／または、下りリンク送信ビーム毎に設定されていてもよい。端末装置１は受信した同期信号ブロック、ＣＳＩ−ＲＳ、および／または、下りリンク送信ビームに基づいてランダムアクセスプリアンブルの送信に利用可能な１つまたは複数の時間／周波数リソースのセットを選択してもよい。
【０１０３】
例えば、ランダムアクセス設定情報に含まれる１つまたは複数のランダムアクセスプリアンブルグループのそれぞれは、同期信号ブロック、ＣＳＩ−ＲＳ、および／または、下りリンク送信ビーム毎に関連付けられていてもよい。端末装置１は受信した同期信号ブロック、ＣＳＩ−ＲＳ、および／または、下りリンク送信ビームに基づいてのランダムアクセスプリアンブルグループを選択してもよい。
【０１０４】
ただし、図８の例では、１つのランダムアクセス設定情報が１つの同期信号ブロックに対応付けられている場合を示しているが、該１つのランダムアクセス設定情報は１つのインデックス（例えば、同期信号ブロックインデックス、ＣＳＩ−ＲＳインデックス、あるいは、下りリンク送信ビームインデックス等）に対応付けられていてもよい。
【０１０５】
ただし、端末装置１は、それぞれ１つの下りリンク送信ビームを用いて送信された１つまたは複数の下りリンク信号を受信し、その中の１つの下りリンク信号に関連付けられたランダムアクセス設定情報を受信し、該受信したランダムアクセス設定情報に基づいてランダムアクセス手順を行なってもよい。端末装置１は、同期信号バーストセット内の１つまたは複数の同期信号ブロックを受信し、その中の１つの同期信号ブロックに関連付けられたランダムアクセス設定情報を受信し、該受信したランダムアクセス設定情報に基づいてランダムアクセス手順を行なってもよい。端末装置１は、１つまたは複数のＣＳＩ−ＲＳを受信し、その中の１つのＣＳＩ−ＲＳに関連付けられたランダムアクセス設定情報を受信し、該受信したランダムアクセス設定情報に基づいてランダムアクセス手順を行なってもよい。
【０１０６】
１つまたは複数のランダムアクセス設定情報は、１つのランダムアクセスチャネル設定（RACH-Config）および／または１つの物理ランダムアクセスチャネル設定（PRACH-Config）で構成されてもよい。
【０１０７】
ランダムアクセスチャネル設定の中に下りリンク送信ビーム毎のランダムアクセスに関するパラメータが含まれてもよい。
【０１０８】
物理ランダムアクセスチャネル設定中に下りリンク送信ビーム毎の物理ランダムアクセ
スチャネルに関するパラメータ（ＰＲＡＣＨ設定のインデックス、ランダムアクセスプリアンブルの送信に利用可能な１つまたは複数の時間／周波数リソースなど）が含まれてもよい。
【０１０９】
１つのランダムアクセス設定情報は、１つの下りリンク送信ビームに対応するランダムアクセスに関するパラメータを示し、複数のランダムアクセス設定情報は、複数の下りリンク送信ビームに対応する複数のランダムアクセスに関するパラメータを示してもよい。
【０１１０】
１つのランダムアクセス設定情報は、１つの下りリンク送信ビームに対応する物理ランダムアクセスに関するパラメータを示し、複数の下りリンク送信ビームに対応する複数のランダムアクセスに関するパラメータを示してもよい。
【０１１１】
対応するビームが選択されれば、ビームに対応するランダムアクセス設定情報（ビームに対応するランダムアクセスチャネル設定、ビームに対応する物理ランダムアクセスチャネル設定）が選択されるようにしてもよい。
【０１１２】
ただし、端末装置１は、ランダムアクセスプリアンブルを送信する基地局装置３および／または送受信点４とは異なる基地局装置３および／または送受信点４から一つまたは複数のランダムアクセス設定情報を受信してもよい。例えば、端末装置１は第１の基地局装置３から受信したランダムアクセス設定情報の少なくとも１つに基づいて第２の基地局装置３へランダムアクセスプリアンブルを送信してもよい。
【０１１３】
ただし、基地局装置３は、端末装置１が送信したランダムアクセスプリアンブルを受信することにより、該端末装置１へ下りリンク信号を送信する際に適用すべき下りリンク送信ビームを決定してもよい。端末装置１は、ある下りリンク送信ビームに関連付けられたランダムアクセス設定情報に示される時間／周波数リソースを用いてランダムアクセスプリアンブルを送信してもよい。基地局装置３は、端末装置１から受信したランダムアクセスプリアンブル、および／または、該ランダムアクセスプリアンブルを受信した時間／周波数リソースに基づいて、該端末装置１へ下りリンク信号を送信する際に適用すべき下りリンク送信ビームを決定してもよい。
【０１１４】
本実施形態に係る端末装置１が、複数のランダムアクセス設定情報を受信し、該複数のランダムアクセス設定情報からランダムアクセス手順に使用する１つのランダムアクセス設定情報の選択する場合の選択ルールについて説明する。
【０１１５】
端末装置１は、基地局装置３との間の伝搬路特性に基づいてランダムアクセス手順に使用するランダムアクセス設定情報を選択してもよい。端末装置１は、基地局装置３から受信した同期信号ブロックまたは下りリンク参照信号により測定した伝搬路特性に基づいてランダムアクセス手順に使用するランダムアクセス設定情報を選択してもよい。
【０１１６】
端末装置１は、受信した複数のランダムアクセス設定情報から１つのランダムアクセス設定情報をランダムに選択してもよい。
【０１１７】
端末装置１は、基地局装置３から受信した下りリンク信号に基づいて、受信した複数のランダムアクセス設定情報から１つのランダムアクセス設定情報を選択してもよい。ただし、該下りリンク信号は、ランダムアクセスプリアンブルの送信先である基地局装置３から受信したものであってもよいし、異なる基地局装置３から受信したものであってもよい。例えば、第１のセルを形成する第１の基地局装置３からの下りリンク信号に基づいて選択したランダムアクセス設定情報を第２のセルを形成する第２の基地局装置３とのランダムアクセス手順に用いてもよい。
【０１１８】
ランダムアクセス設定情報に含まれる利用可能な１つまたは複数の周波数／時間リソースとして、それぞれランダムアクセスプリアンブルを送信可能なサブキャリアインデックス、リソースブロックインデックス、サブフレーム番号、システムフレーム番号、シンボル番号、および／または、プリアンブルのフォーマットが設定されてもよい。
【０１１９】
端末装置１が基地局装置３からＮＲ−ＰＤＣＣＨオーダーを受信した場合のランダムアクセス手順は、図９に示すように、端末装置１と基地局装置３との間の複数のメッセージの送受信により実現される。
【０１２０】
＜メッセージ０（Ｓ８０１）＞
基地局装置３は、端末装置１に対してＮＲ−ＰＤＣＣＨでＮＲ−ＰＤＣＣＨオーダーを送信し、ランダムアクセス手順を行なうように指示する。
【０１２１】
ＮＲ−ＰＤＣＣＨオーダーが示す情報には、プリアンブルインデックス情報、マスクインデックス情報、ＳＲＩ（SRS Resource Indicator）情報、同期信号ブロック再選択指示情報（SS block Re-selection Indicator）、ランダムアクセス設定再選択指示情報（Random Access Configuration Re-selection Indicator）、および／または、ＣＳＩ−ＲＳ
選択指示情報が含まれてもよい。
【０１２２】
プリアンブルインデックス情報は、ランダムアクセス設定情報に示される利用可能なランダムアクセスプリアンブルのプリアンブルインデックスのうち、１つまたは複数のプリアンブルインデックスを示す情報である。ただし、プリアンブルインデックス情報が所定の値である場合に、端末装置１は、利用可能な１つまたは複数のランダムアクセスプリアンブルから１つをランダムに選択してもよい。
【０１２３】
マスクインデックス情報は、時間領域および／または周波数領域でランダムアクセスプリアンブルの送信に利用可能なＰＲＡＣＨリソースのインデックスを示す情報である。ただし、マスクインデックス情報により示される時間リソースおよび／または周波数リソースは１つの特定のリソースであってもよいし、選択可能な複数のリソースを示すものであってもよいし、異なるインデックスが１つの特定リソースと選択可能な複数のリソースのそれぞれを示してもよい。
【０１２４】
ただし、プリアンブルインデックス情報とマスクインデックス情報は１つのインデックス情報で示されてもよい。例えば、１つのインデックスで端末装置１がランダムアクセスプリアンブルの送信に利用可能なプリアンブル（系列、コードと称されてもよい）、時間リソースおよび周波数リソースの全てまたはその一部が示されてもよい。
【０１２５】
ただし、プリアンブルインデックス情報および／またはマスクインデックス情報は、同期信号ブロックごとに異なる値が設定されてもよい。例えば、端末装置１は、受信した１つまたは複数の同期信号ブロックの中から１つを選択し、選択した同期信号ブロックに関連付けられたプリアンブルインデックス情報および／またはマスクインデックス情報を用いてランダムアクセスプリアンブルを送信してもよい。
【０１２６】
ただし、プリアンブルインデックス情報および／またはマスクインデックス情報は、複数の同期信号ブロックで共通の値が設定されてもよい。例えば、端末装置１は、受信した１つまたは複数の同期信号ブロックの中から１つを選択し、選択した同期信号ブロックに関連付けられたランダムアクセス設定を選択し、利用可能なプリアンブルおよび／または時間／周波数リソースに対して、受信したプリアンブルインデックス情報および／またはマスクインデックス情報に対応するランダムアクセスプリアンブルを送信してもよい。
【０１２７】
ＳＲＩ情報は、基地局装置３が設定している１つまたは複数のＳＲＳ送信用リソースのインデックスのうちの少なくとも一部を通知する情報である。ただし、ＳＲＩ情報は、基地局装置３が設定している１つまたは複数のＳＲＳ送信用リソースに対応するビットマップ情報であってもよい。
【０１２８】
端末装置１は、受信したＳＲＩ情報に基づいて、ランダムアクセスプリアンブルを送信するアンテナポートを決定してもよい。ただし、ＳＲＩ情報が示すＳＲＳ送信用リソースが複数である場合に、端末装置１は複数のＳＲＳ送信用リソースに基づく複数のアンテナポートのそれぞれでランダムアクセスプリアンブルを送信してもよい。ただし、端末装置１は、ＳＲＩ情報が示すＳＲＳ送信用リソースに関連付けられたアンテナポートを、ランダムアクセスプリアンブルの送信および再送に利用可能なアンテナポートとしてもよい。端末装置１は、ＳＲＩ情報が示すＳＲＳ送信用リソースに関連付けられた上りリンク送信ビーム（送信空間フィルタ設定）でランダムアクセスプリアンブルを送信してもよい。ただし、ＮＲ−ＰＤＣＣＨオーダーでＳＲＩ情報を受信した端末装置１がランダムアクセスプリアンブルの送信に用いるアンテナポートは、ＳＲＩ情報が示すＳＲＳ送信用リソースに関連付けられたアンテナポートとＱＣＬであってもよい。
【０１２９】
同期信号ブロック再選択指示情報は、ＮＲ−ＰＤＣＣＨオーダーを受信した端末装置１に対して、ランダムアクセス手順を行なうために用いる同期信号ブロックを再選択するか否かを指示する情報である。
【０１３０】
ＮＲ−ＰＤＣＣＨオーダーによって同期信号ブロック再選択指示情報が示されている場合、端末装置１は同期信号バーストセット内の１つまたは複数の同期信号ブロックをモニタし、選択した１つの同期信号ブロックに関連付けられたランダムアクセス設定を用いてランダムアクセスプリアンブルを送信してもよい。
【０１３１】
ただし、同期信号ブロック再選択指示情報で示される情報は、ＮＲ−ＰＤＣＣＨオーダーで示されるその他の情報で示されてもよい。例えば、同期信号ブロック再選択指示情報で示される情報はプリアンブルインデックス情報に含まれてもよい。端末装置１は、ＮＲ−ＰＤＣＣＨオーダーで示されるプリアンブルインデックスが所定の値である場合に同期信号ブロックを再選択してもよい。
【０１３２】
ランダムアクセス設定再選択指示情報は、ＮＲ−ＰＤＣＣＨオーダーを受信した端末装置１に対して、ランダムアクセス手順を行なうために用いるランダムアクセス設定情報を再選択するか否かを指示する情報である。ＮＲ−ＰＤＣＣＨオーダーでランダムアクセス設定再選択指示情報を受信した端末装置１は、下りリンク信号で受信した１つまたは複数のランダムアクセス設定情報の中から１つを選択し、選択したランダムアクセス設定情報に基づいてランダムアクセスプリアンブルの送信を行なってもよい。
【０１３３】
ただし、ランダムアクセス設定再選択指示情報で示される情報は、ＮＲ−ＰＤＣＣＨオーダーで示されるその他の情報で示されてもよい。例えば、ランダムアクセス設定再選択指示情報で示される情報はプリアンブルインデックス情報に含まれてもよい。端末装置１は、ＮＲ−ＰＤＣＣＨオーダーで示されるプリアンブルインデックスが所定の値である場合にランダムアクセス設定情報を再選択してもよい。
【０１３４】
ＣＳＩ−ＲＳ選択指示情報は、ＮＲ−ＰＤＣＣＨオーダーを受信した端末装置１に対して、設定されている１つまたは複数のＣＳＩ−ＲＳのうちランダムアクセス手順を行なうために用いる１つを選択することを指示する情報である。ＣＳＩ−ＲＳ選択指示情報は、基地局装置３が端末装置1に対して設定している１つまたは複数のＣＳＩ−ＲＳの少なく
とも一部を指定する情報であってもよい。
【０１３５】
ＮＲ−ＰＤＣＣＨオーダーによってＣＳＩ−ＲＳ選択指示情報が示されている場合、端末装置１は設定されている１つまたは複数のＣＳＩ−ＲＳをモニタし、選択した１つのＣＳＩ−ＲＳに関連付けられたランダムアクセス設定を用いてランダムアクセスプリアンブルを送信してもよい。
【０１３６】
ただし、ＣＳＩ−ＲＳ選択指示情報で示される情報は、ＮＲ−ＰＤＣＣＨオーダーで示されるその他の情報で示されてもよい。例えば、ＣＳＩ−ＲＳ選択指示情報で示される情報はプリアンブルインデックス情報に含まれてもよい。端末装置１は、ＮＲ−ＰＤＣＣＨオーダーで示されるプリアンブルインデックスが所定の値である場合に設定されている１つまたは複数のＣＳＩ−ＲＳをモニタし、選択した１つのＣＳＩ−ＲＳに関連付けられたランダムアクセス設定を用いてランダムアクセスプリアンブルを送信してもよい。
【０１３７】
ただし、プリアンブルインデックス情報、ＳＲＩ情報、同期信号ブロック再選択指示情報、ランダムアクセス設定再選択指示情報、および／または、ＣＳＩ−ＲＳ選択指示情報に対して、１つの共通インデックス情報が用いられてもよい。例えば、共通インデックス情報が第1の値であった場合に、ランダムアクセス設定情報の再選択を行ない、共通イン
デックス情報が第２の値であった場合に１つまたは複数のＣＳＩ−ＲＳをモニタしてもよい。
【０１３８】
＜メッセージ１（Ｓ８０２）＞
ＮＲ−ＰＤＣＣＨオーダーを受信した端末装置１は、基地局装置３に対して、物理ランダムアクセスチャネル（PRACH; Physical Random Access Channel）でランダムアクセス
のためのプリアンブルを送信する。この送信されるプリアンブルをランダムアクセスプリアンブル、メッセージ１またはＭｓｇ１と称してもよい。ランダムアクセスプリアンブルは、複数のシーケンスによって基地局装置３へ情報を通知するように構成される。例えば、６４種類のシーケンスが用意されている場合、６ビットの情報を基地局装置３へ示すことができる。この情報は、ランダムアクセスプリアンブル識別子（Random Access preamble Identifier）として示される。プリアンブルシーケンスは、プリアンブルインデック
スを用いるプリアンブルシーケンスセットの中から選択される。
【０１３９】
ただし、端末装置１は、ＮＲ−ＰＤＣＣＨオーダーによって１つのランダムアクセスプリアンブルを示すプリアンブルインデックスが示されている場合に示されたランダムアクセスプリアンブルを送信する。ただし、端末装置１は、ＮＲ−ＰＤＣＣＨオーダーによって所定の値を示すプリアンブルインデックスが示されている場合に利用可能なランダムアクセスプリアンブルからランダムに１つのランダムアクセスプリアンブルを選択してもよい。
【０１４０】
ただし、ＮＲ−ＰＤＣＣＨオーダーによってマスクインデックスが示されている場合、端末装置１は示されたマスクインデックスに対応する周波数リソースおよび／または時間リソースを用いてランダムアクセスプリアンブルを送信する。
【０１４１】
ただし、ＮＲ−ＰＤＣＣＨオーダーによってＳＲＩ設定情報が示されている場合、端末装置１は、ＳＲＩ設定情報に示されている１つまたは複数のＳＲＳ送信用リソースに対応するアンテナポートおよび／または上りリンク送信ビームを用いて１つまたは複数のランダムアクセスプリアンブルを送信する。
【０１４２】
＜メッセージ２（Ｓ８０３）＞
ランダムアクセスプリアンブルを受信した基地局装置３は、端末装置１に送信を指示す
るための上りリンクグラントを含むランダムアクセス応答を生成し、生成したランダムアクセス応答を下りリンクのＰＳＣＨで端末装置１へ送信する。ランダムアクセス応答を、メッセージ２またはＭｓｇ２と称してもよい。また、基地局装置３は、受信したランダムアクセスプリアンブルから端末装置１と基地局装置３との間の送信タイミングのずれを算出し、該ずれを調整するための送信タイミング調整情報（Timing Advance Command）をメッセージ２に含める。また、基地局装置３は、受信したランダムアクセスプリアンブルに対応したランダムアクセスプリアンブル識別子をメッセージ２に含める。また、基地局装置３は、ランダムアクセスプリアンブルを送信した端末装置１宛てのランダムアクセス応答を示すためのＲＡ−ＲＮＴＩ（ランダムアクセス応答識別情報：Random Access-Radio Network Temporary Identity）を、下りリンクのＰＣＣＨで送信する。ＲＡ−ＲＮＴＩは、ランダムアクセスプリアンブルを送信した物理ランダムアクセスチャネルの周波数および時間の位置情報に応じて決定される。ここで、メッセージ２（下りリンクのＰＳＣＨ）には、ランダムアクセスプリアンブルの送信に使用された上りリンク送信ビームのインデックスが含まれてもよい。また、下りリンクのＰＣＣＨおよび／またはメッセージ２（下りリンクのＰＳＣＨ）を用いてメッセージ３の送信に使用される上りリンク送信ビームを決定するための情報が送信されてもよい。ここで、メッセージ３の送信に使用される上りリンク送信ビームを決定するための情報には、ランダムアクセスプリアンブルの送信に使用されたプリコーディングのインデックスからの差分（調整、補正）を示す情報が含まれてもよい。
【０１４３】
＜メッセージ３（Ｓ８０４）＞
ランダムアクセスプリアンブルを送信した端末装置１は、該ランダムアクセスプリアンブル送信後の複数のサブフレーム期間（ＲＡ応答ウィンドウと称される）内で、ＲＡ−ＲＮＴＩによって識別されるランダムアクセス応答に対する下りリンクのＰＣＣＨのモニタリングを行う。ランダムアクセスプリアンブルを送信した端末装置１は、該当するＲＡ−ＲＮＴＩを検出した場合に、下りリンクのＰＳＣＨに配置されたランダムアクセス応答の復号を行う。ランダムアクセス応答の復号に成功した端末装置１は、該ランダムアクセス応答に、送信したランダムアクセスプリアンブルに対応したランダムアクセスプリアンブル識別子が含まれるか否か確認する。ランダムアクセスプリアンブル識別子が含まれる場合、ランダムアクセス応答に示される送信タイミング調整情報を用いて同期のずれを補正する。また、端末装置１は受信したランダムアクセス応答に含まれる上りリンクグラントを用いて、バッファに保管されているデータを基地局装置３へ送信する。この時上りリンクグラントを用いて送信されるデータをメッセージ３またはＭｓｇ３と称する。
【０１４４】
また、端末装置１は、復号に成功したランダムアクセス応答が一連のランダムアクセス手順において初めて受信に成功したものであった場合に、送信するメッセージ３に端末装置１を識別するための情報（Ｃ−ＲＮＴＩ）を含めて基地局装置３へ送信する。
【０１４５】
＜メッセージ４（Ｓ８０５）＞
基地局装置３は、ランダムアクセス応答で端末装置１のメッセージ３に対して割り当てたリソースで上りリンク送信を受信すると、受信したメッセージ３に含まれるＣ−ＲＮＴＩ  ＭＡＣ  ＣＥを検出する。そして、該端末装置１と接続を確立する場合、基地局装置３は検出したＣ−ＲＮＴＩ宛てにＰＣＣＨを送信する。基地局装置３は、検出したＣ−ＲＮＴＩ宛てにＰＣＣＨを送信する場合、該ＰＣＣＨに上りリンクグラントを含める。基地局装置３が送信するこれらのＰＣＣＨはメッセージ４、Ｍｓｇ４あるいはコンテンションレゾリューションメッセージと称される。
【０１４６】
メッセージ３を送信した端末装置１は、基地局装置３からのメッセージ４をモニタリングする期間を定めたコンテンションレゾリューションタイマーを開始し、タイマー内で基地局から送信される下りリンクのＰＣＣＨの受信を試みる。メッセージ３でＣ−ＲＮＴＩ
ＭＡＣ  ＣＥを送信した端末装置１は、送信したＣ−ＲＮＴＩ宛てのＰＣＣＨを基地局装置３から受信し、かつ該ＰＣＣＨに新規送信のための上りリンクグラントが含まれていた場合、他の端末装置１とのコンテンションレゾリューションに成功したものとみなし、コンテンションレゾリューションタイマーを停止し、ランダムアクセス手順を終了する。タイマー期間内で、自装置がメッセージ３で送信したＣ−ＲＮＴＩ宛てのＰＣＣＨの受信が確認できなかった場合は、コンテンションレゾリューションが成功しなかったとみなし、端末装置１は再度ランダムアクセスプリアンブルの送信を行い、ランダムアクセス手順を続行する。ただし、ランダムアクセスプリアンブルの送信を所定の回数繰り返し、コンテンションレゾリューションに成功しなかった場合には、ランダムアクセスに問題があると判定し、上位層にランダムアクセスプロブレムを指示する。例えば、上位層は、ランダムアクセスプロブレムに基づいてＭＡＣエンティティをリセットしてもよい。上位層によってＭＡＣエンティティのリセットを要求された場合、端末装置１は、ランダムアクセス手順をストップする。
【０１４７】
以上の５つのメッセージの送受信により、端末装置１は基地局装置３との同期をとり、基地局装置３に対する上りリンクデータ送信を行なうことができる。
【０１４８】
図１０は、本実施形態に係る端末装置１のランダムアクセスプリアンブル送信処理の一例を示すフロー図である。
【０１４９】
端末装置１は、基地局装置３からランダムアクセス手順の開始を指示する情報（ＮＲ−ＰＤＣＣＨオーダー）を含む信号を受信する（Ｓ１００１）。端末装置１は、受信したランダムアクセス手順の開始を指示する情報からＳＲＳリソースに関する情報（例えば、ＳＲＩ情報であってもよい）を検出する（Ｓ１００２）。端末装置１は、検出したＳＲＳリソースに関する情報に基づいてランダムアクセスプリアンブルの送信に使用するアンテナポートを決定する（Ｓ１００３）。端末装置１は、決定したアンテナポートからランダムアクセスプリアンブルを送信する（Ｓ１００４）。
【０１５０】
図１１は、本実施形態に係る基地局装置３のランダムアクセスプリアンブルの受信処理の一例を示すフロー図である。
【０１５１】
基地局装置３は、ＳＲＳリソースに関する情報（例えばＳＲＩ情報であってもよい）を含むランダムアクセス手順の開始を指示する情報（ＮＲ−ＰＤＣＣＨオーダー）を生成する（Ｓ２００１）。基地局装置３は、端末装置１に対して、生成したランダムアクセス手順の開始を指示する情報を含む信号を送信する（Ｓ２００２）。基地局装置３は、送信したＳＲＳリソースに関する情報に基づくランダムアクセスプリアンブルをモニタする（Ｓ２００３）。
【０１５２】
図１２は、本実施形態に係る端末装置１のランダムアクセスプリアンブル送信処理の別の一例を示すフロー図である。
【０１５３】
端末装置１は、基地局装置３からランダムアクセス手順の開始を指示する指示情報（ＮＲ−ＰＤＣＣＨオーダー）を含む信号を受信する（Ｓ３００１）。端末装置１は、受信した指示情報に基づいて１つまたは複数のランダムアクセス設定情報の中から１つを再選択するか否かを決定する（Ｓ３００２）。端末装置１は、ランダムアクセス設定情報を再選択する場合に（Ｓ３００３−ＹＥＳ）、受信した１つまたは複数のランダムアクセス設定情報の中から１つを選択し（Ｓ３００４）、ステップＳ３００５に移行する。端末装置１は、ランダムアクセス設定情報を再選択しない場合に（Ｓ３００３−ＮＯ）、既に選択しているランダムアクセス設定情報を用いてステップＳ３００５に移行する。端末装置１は、選択したランダムアクセス設定情報に基づいてランダムアクセスプリアンブルを送信す
る（Ｓ３００５）。
【０１５４】
図１３は、本実施形態に係る基地局装置３のランダムアクセスプリアンブルの受信処理の別の一例を示すフロー図である。
【０１５５】
基地局装置３は、端末装置１に複数のランダムアクセス設定情報の中から１つを再選択するか否かを指示する情報を含むランダムアクセス手順の開始を指示する情報（ＮＲ−ＰＤＣＣＨオーダー）を生成する（Ｓ４００１）。基地局装置３は、端末装置１に対して、生成したランダムアクセス手順の開始を指示する情報を含む信号を送信する（Ｓ４００２）。基地局装置３は、複数のランダムアクセス設定情報のそれぞれに関連付けられたランダムアクセスプリアンブルをモニタする（Ｓ４００３）。
【０１５６】
以下、本実施形態における装置の構成について説明する。
【０１５７】
図１４は、本実施形態の端末装置１の構成を示す概略ブロック図である。図示するように、端末装置１は、無線送受信部１０、および、上位層処理部１４を含んで構成される。無線送受信部１０は、アンテナ部１１、ＲＦ（Radio Frequency）部１２、および、ベー
スバンド部１３を含んで構成される。上位層処理部１４は、媒体アクセス制御層処理部１５、無線リソース制御層処理部１６を含んで構成される。無線送受信部１０を送信部、受信部、モニタ部、または、物理層処理部とも称する。上位層処理部１４を測定部または制御部とも称する。
【０１５８】
上位層処理部１４は、ユーザの操作等により生成された上りリンクデータ（トランスポートブロックと称されてもよい）を、無線送受信部１０に出力する。上位層処理部１４は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の一部あるいはすべての処理を行なう。上位層処理部１４は、受信したランダムアクセス手順の開始を指示する情報に基づいて、１つまたは複数の同期信号ブロックから１つを再選択するか否かを決定する機能を有してもよい。上位層処理部１４は、受信したランダムアクセス手順の開始を指示する情報に基づいて、１つまたは複数のランダムアクセス設定情報から１つを再選択するか否かを決定する機能を有してもよい。
【０１５９】
上位層処理部１４が備える媒体アクセス制御層処理部１５は、ＭＡＣレイヤ（媒体アクセス制御層）の処理を行なう。媒体アクセス制御層処理部１５は、無線リソース制御層処理部１６によって管理されている各種設定情報／パラメータに基づいて、スケジューリング要求の伝送の制御を行う。
【０１６０】
上位層処理部１４が備える無線リソース制御層処理部１６は、ＲＲＣレイヤ（無線リソース制御層）の処理を行なう。無線リソース制御層処理部１６は、自装置の各種設定情報／パラメータの管理をする。無線リソース制御層処理部１６は、基地局装置３から受信した上位層の信号に基づいて各種設定情報／パラメータをセットする。すなわち、無線リソース制御層処理部１６は、基地局装置３から受信した各種設定情報／パラメータを示す情報に基づいて各種設定情報／パラメータをセットする。
【０１６１】
無線送受信部１０は、変調、復調、符号化、復号化などの物理層の処理を行う。無線送受信部１０は、基地局装置３から受信した信号を、分離、復調、復号し、復号した情報を上位層処理部１４に出力する。無線送受信部１０は、データを変調、符号化することによって送信信号を生成し、基地局装置３に送信する。無線送受信部１０は、あるセルにおける１つまたは複数の同期信号ブロックを受信する機能を有してもよい。無線送受信部１０
は、基地局装置３からランダムアクセス手順の開始を指示する指示情報を含む信号を受信する機能を有してもよい。無線送受信部１０は、複数の参照信号を受信する機能を有してもよい。無線送受信部１０は、基地局装置３から受信したＳＲＳリソースに関する情報に基づいてランダムアクセスプリアンブルの送信に用いるアンテナポート決定する機能を有してもよい。
【０１６２】
ＲＦ部１２は、アンテナ部１１を介して受信した信号を、直交復調によりベースバンド信号に変換し（ダウンコンバート: down covert）、不要な周波数成分を除去する。ＲＦ
部１２は、処理をしたアナログ信号をベースバンド部に出力する。
【０１６３】
ベースバンド部１３は、ＲＦ部１２から入力されたアナログ信号を、アナログ信号をデジタル信号に変換する。ベースバンド部１３は、変換したデジタル信号からＣＰ（Cyclic
Prefix）に相当する部分を除去し、ＣＰを除去した信号に対して高速フーリエ変換（Fast Fourier Transform: FFT）を行い、周波数領域の信号を抽出する。
【０１６４】
ベースバンド部１３は、データを逆高速フーリエ変換（Inverse Fast Fourier Transform: IFFT）して、ＯＦＤＭシンボルを生成し、生成されたＯＦＤＭシンボルにＣＰを付加し、ベースバンドのデジタル信号を生成し、ベースバンドのデジタル信号をアナログ信号に変換する。ベースバンド部１３は、変換したアナログ信号をＲＦ部１２に出力する。
【０１６５】
ＲＦ部１２は、ローパスフィルタを用いてベースバンド部１３から入力されたアナログ信号から余分な周波数成分を除去し、アナログ信号を搬送波周波数にアップコンバート（up convert）し、アンテナ部１１を介して送信する。また、ＲＦ部１２は、電力を増幅する。また、ＲＦ部１２は在圏セルにおいて送信する上りリンク信号および／または上りリンクチャネルの送信電力を決定する機能を備えてもよい。ＲＦ部１２を送信電力制御部とも称する。
【０１６６】
図１５は、本実施形態の基地局装置３の構成を示す概略ブロック図である。図示するように、基地局装置３は、無線送受信部３０、および、上位層処理部３４を含んで構成される。無線送受信部３０は、アンテナ部３１、ＲＦ部３２、および、ベースバンド部３３を含んで構成される。上位層処理部３４は、媒体アクセス制御層処理部３５、無線リソース制御層処理部３６を含んで構成される。無線送受信部３０を送信部、受信部、または、物理層処理部とも称する。また様々な条件に基づき各部の動作を制御する制御部を別途備えてもよい。上位層処理部３４を、端末制御部とも称する。
【０１６７】
上位層処理部３４は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の一部あるいはすべての処理を行なう。上層処理部３４は、端末装置１にランダムアクセス手順の開始を指示する情報を生成する機能を有してもよい。
【０１６８】
上位層処理部３４が備える媒体アクセス制御層処理部３５は、ＭＡＣレイヤの処理を行なう。媒体アクセス制御層処理部３５は、無線リソース制御層処理部３６によって管理されている各種設定情報／パラメータに基づいて、スケジューリングリクエストに関する処理を行う。
【０１６９】
上位層処理部３４が備える無線リソース制御層処理部３６は、ＲＲＣレイヤの処理を行なう。無線リソース制御層処理部３６は、物理下りリンク共用チャネルに配置される下りリンクデータ（トランスポートブロック）、システム情報、ＲＲＣメッセージ、ＭＡＣ  ＣＥ（Control Element）などを生成し、又は上位ノードから取得し、無線送受信部３０
に出力する。また、無線リソース制御層処理部３６は、端末装置１各々の各種設定情報／パラメータの管理をする。無線リソース制御層処理部３６は、上位層の信号を介して端末装置１各々に対して各種設定情報／パラメータをセットしてもよい。すなわち、無線リソース制御層処理部３６は、各種設定情報／パラメータを示す情報を送信／報知する。無線リソース制御層処理部３６は、あるセルにおける複数の参照信号の設定を特定するための情報を送信／報知してもよい。
【０１７０】
無線送受信部３０は、複数の参照信号を送信する機能を有する。また、端末装置１から、上位層処理部３４で設定した複数のスケジューリング要求リソースのいずれか１つを用いて送信されるスケジューリング要求を受信する機能を有してもよい。また、無線送受信部３０は、１つまたは複数の同期信号ブロックを送信する機能を有してもよい。無線送受信部３０は、端末装置１にランダムアクセス手順の開始を指示する情報を含む信号を送信する機能を有してもよい。無線送受信部３０は、端末装置１から送信されたランダムアクセスプリアンブルを受信／モニタする機能を有してもよい。その他、無線送受信部３０の一部の機能は、無線送受信部１０と同様であるため説明を省略する。なお、基地局装置３が１つまたは複数の送受信点４と接続している場合、無線送受信部３０の機能の一部あるいは全部が、各送受信点４に含まれてもよい。
【０１７１】
また、上位層処理部３４は、基地局装置３間あるいは上位のネットワーク装置（ＭＭＥ、Ｓ−ＧＷ（Ｓｅｒｖｉｎｇ−ＧＷ））と基地局装置３との間の制御メッセージ、またはユーザデータの送信（転送）または受信を行なう。図９において、その他の基地局装置３の構成要素や、構成要素間のデータ（制御情報）の伝送経路については省略してあるが、基地局装置３として動作するために必要なその他の機能を有する複数のブロックを構成要素として持つことは明らかである。例えば、上位層処理部３４には、無線リソース管理（Ｒａｄｉｏ  Ｒｅｓｏｕｒｃｅ  Ｍａｎａｇｅｍｅｎｔ）層処理部や、アプリケーション層処理部が存在している。また上位層処理部３４は、無線送受信部３０から送信する複数の参照信号のそれぞれに対応する複数のスケジューリング要求リソースを設定する機能を有してもよい。
【０１７２】
なお、図中の「部」とは、セクション、回路、構成装置、デバイス、ユニットなど用語によっても表現される、端末装置１および基地局装置３の機能および各手順を実現する要素である。
【０１７３】
端末装置１が備える符号１０から符号１６が付された部のそれぞれは、回路として構成されてもよい。基地局装置３が備える符号３０から符号３６が付された部のそれぞれは、回路として構成されてもよい。
【０１７４】
以下、本発明における、端末装置１および基地局装置３の態様について説明する。
【０１７５】
（１）本発明の第１の態様は、端末装置１であって、基地局装置３からランダムアクセス手順の開始を指示する指示情報（ＮＲ−ＰＤＣＣＨオーダーであってもよい）を含む信号を受信する受信部１０と、前記指示情報に基づいて、前記１つまたは複数のランダムアクセスプリアンブルを送信する送信部１０と、を備え、前記送信部１０は、前記指示情報に含まれるＳＲＳリソースに関する情報（ＳＲＩ情報であってもよい）に基づいて前記ランダムアクセスプリアンブルの送信に用いるアンテナポートを決定する。
【０１７６】
（２）本発明の第２の態様は、端末装置１であって、１つまたは複数のランダムアクセス設定情報を受信する受信部１０と、前記１つまたは複数のランダムアクセス設定情報から１つを選択する制御部１４と、前記１つまたは複数のランダムアクセス設定情報のいずれか１つに基づくランダムアクセスプリアンブルを送信する送信部１０と、を備え、前記
受信部１０は、ランダムアクセス手順の開始を指示する指示情報（ＮＲ−ＰＤＣＣＨオーダーであってもよい）を含む信号を受信し、前記制御部１４は、前記指示情報に基づいて、前記１つまたは複数のランダムアクセス設定情報から前記ランダムアクセスプリアンブルの送信に用いる１つを再選択するか否かを決定する。
【０１７７】
（３）本発明の第３の態様は、基地局装置３であって、ＳＲＳリソースに関する情報（ＳＲＩ情報であってもよい）を含むランダムアクセス手順の開始を指示する指示情報（ＮＲ−ＰＤＣＣＨオーダーであってもよい）を生成する制御部３４と、端末装置１に対して前記指示情報を含む信号を送信する送信部３０と、前記ＳＲＳリソースに関する情報に基づくランダムアクセスプリアンブルをモニタする受信部３０と、を備える。
【０１７８】
（４）本発明の第４の態様は、基地局装置３であって、端末装置１に複数のランダムアクセス設定情報の中から１つを再選択するか否かを指示する情報（ランダムアクセス設定情報再選択指示情報であってもよい）を含むランダムアクセス手順の開始を指示する指示情報（ＮＲ−ＰＤＣＣＨオーダーであってもよい）を生成する制御部３４と、前記端末装置１に対して前記指示情報を含む信号を送信する送信部３０と、前記複数のランダムアクセス設定情報のそれぞれに関連付けられたランダムアクセスプリアンブルをモニタする受信部３０と、を備える。
【０１７９】
本発明に関わる装置で動作するプログラムは、本発明に関わる実施形態の機能を実現するように、Ｃｅｎｔｒａｌ  Ｐｒｏｃｅｓｓｉｎｇ  Ｕｎｉｔ（ＣＰＵ）等を制御してコンピュータを機能させるプログラムであっても良い。プログラムあるいはプログラムによって取り扱われる情報は、一時的にＲａｎｄｏｍ  Ａｃｃｅｓｓ  Ｍｅｍｏｒｙ（ＲＡＭ）などの揮発性メモリあるいはフラッシュメモリなどの不揮発性メモリやＨａｒｄ  Ｄｉｓｋ  Ｄｒｉｖｅ（ＨＤＤ）、あるいはその他の記憶装置システムに格納される。
【０１８０】
尚、本発明に関わる実施形態の機能を実現するためのプログラムをコンピュータが読み取り可能な記録媒体に記録しても良い。この記録媒体に記録されたプログラムをコンピュータシステムに読み込ませ、実行することによって実現しても良い。ここでいう「コンピュータシステム」とは、装置に内蔵されたコンピュータシステムであって、オペレーティングシステムや周辺機器等のハードウェアを含むものとする。また、「コンピュータが読み取り可能な記録媒体」とは、半導体記録媒体、光記録媒体、磁気記録媒体、短時間動的にプログラムを保持する媒体、あるいはコンピュータが読み取り可能なその他の記録媒体であっても良い。
【０１８１】
また、上述した実施形態に用いた装置の各機能ブロック、または諸特徴は、電気回路、たとえば、集積回路あるいは複数の集積回路で実装または実行され得る。本明細書で述べられた機能を実行するように設計された電気回路は、汎用用途プロセッサ、デジタルシグナルプロセッサ（ＤＳＰ）、特定用途向け集積回路（ＡＳＩＣ）、フィールドプログラマブルゲートアレイ（ＦＰＧＡ）、またはその他のプログラマブル論理デバイス、ディスクリートゲートまたはトランジスタロジック、ディスクリートハードウェア部品、またはこれらを組み合わせたものを含んでよい。汎用用途プロセッサは、マイクロプロセッサであってもよいし、従来型のプロセッサ、コントローラ、マイクロコントローラ、またはステートマシンであっても良い。前述した電気回路は、デジタル回路で構成されていてもよいし、アナログ回路で構成されていてもよい。また、半導体技術の進歩により現在の集積回路に代替する集積回路化の技術が出現した場合、本発明の一又は複数の態様は当該技術による新たな集積回路を用いることも可能である。
【０１８２】
なお、本願発明は上述の実施形態に限定されるものではない。実施形態では、装置の一例を記載したが、本願発明は、これに限定されるものではなく、屋内外に設置される据え
置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来る。
【０１８３】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０１８４】
１（１Ａ、１Ｂ）  端末装置
３  基地局装置
４  送受信点（ＴＲＰ）
１０  無線送受信部
１１  アンテナ部
１２  ＲＦ部
１３  ベースバンド部
１４  上位層処理部
１５  媒体アクセス制御層処理部
１６  無線リソース制御層処理部
３０  無線送受信部
３１  アンテナ部
３２  ＲＦ部
３３  ベースバンド部
３４  上位層処理部
３５  媒体アクセス制御層処理部
３６  無線リソース制御層処理部
５０  送信ユニット（ＴＸＲＵ）
５１  位相シフタ
５２  アンテナエレメント
【図１】
2019004315.tif 000003
【図２】
2019004315.tif 000004
【図３】
2019004315.tif 000005
【図４】
2019004315.tif 000006
【図５】
2019004315.tif 000007
【図６】
2019004315.tif 000008
【図７】
2019004315.tif 000009
【図８】
2019004315.tif 000010
【図９】
2019004315.tif 000011
【図１０】
2019004315.tif 000012
【図１１】
2019004315.tif 000013
【図１２】
2019004315.tif 000014
【図１３】
2019004315.tif 000015
【図１４】
2019004315.tif 000016
【図１５】
2019004315.tif 000017